(57)【要約】  様々なトーンプランに従ってワイヤレスメッセージを供給するための方法および装置は、命令を記憶するメモリを含むシステムを含むことができる。システムは、メモリと結合されたプロセッサをさらに含む。プロセッサは、個々のデバイスへの割振りのための、４８個のデータトーンと４つのパイロットトーンとを含む５２個のトーンのセットと、個々のデバイスへの割振りのための、１０２個のデータトーンと４つのパイロットトーンとを含む１０６個のトーンのセットとのうちの少なくとも１つに従ってワイヤレス通信のためのメッセージを生成するために命令を実行するように構成される。プロセッサは、送信のためにメッセージを供給するために命令を実行するようにさらに構成される。【選択図】図１０
2017527180.tif 000002
【特許請求の範囲】
【請求項１】
ワイヤレス通信を実行するように構成された装置であって、
命令を記憶するメモリと、
前記メモリと結合されたプロセッサと、を備え、前記プロセッサは、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成することと、
送信のために前記メッセージを供給することと、
を行うために前記命令を実行するように構成された、装置。
【請求項２】
前記プロセッサは、１６のインターリーバ深度と１１のベースサブキャリア回転とを使用して、５２個のトーンの前記セットに従って生成された前記メッセージのために、符号化データをインターリーブするために前記命令を実行するようにさらに構成された、請求項１に記載の装置。
【請求項３】
前記プロセッサは、前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブするために前記命令を実行するようにさらに構成された、請求項１に記載の装置。
【請求項４】
前記プロセッサは、３の低密度パリティチェック（ＬＤＰＣ）トーンマッピング距離（ＤＴＭ）を使用して、５２個のトーンの前記セットに従って生成された前記メッセージのために、前記メッセージのトーンをマッピングするために前記命令を実行するようにさらに構成された、請求項１に記載の装置。
【請求項５】
前記プロセッサは、１７のインターリーバ深度と２９のベースサブキャリア回転とを使用して、１０６個のトーンの前記セットに従って生成された前記メッセージのために、符号化データをインターリーブするために前記命令を実行するようにさらに構成された、請求項１に記載の装置。
【請求項６】
前記プロセッサは、前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブするために前記命令を実行するようにさらに構成された、請求項１に記載の装置。
【請求項７】
前記プロセッサは、６の低密度パリティチェック（ＬＤＰＣ）トーンマッピング距離（ＤＴＭ）を使用して、１０６個のトーンの前記セットに従って生成された前記メッセージのために、前記メッセージのトーンをマッピングするために前記命令を実行するようにさらに構成された、請求項１に記載の装置。
【請求項８】
前記プロセッサは、バイナリ畳み込みコードインターリービングを使用するとき、４つ以下の空間ストリーム上での送信のために前記メッセージを供給するように構成された、請求項１に記載の装置。
【請求項９】
前記装置は移動局であり、前記プロセッサは、前記移動局をサービスするアクセスポイントに、前記移動局の送信機とアンテナとを通して前記メッセージを送信するように構成されることによって、送信のために前記メッセージを供給するように構成された、請求項１に記載の装置。
【請求項１０】
前記装置はアクセスポイントであり、前記プロセッサは、前記アクセスポイントによってサービスされる移動局に、前記アクセスポイントの送信機とアンテナとを通して前記メッセージを送信するように構成されることによって、送信のために前記メッセージを供給するように構成された、請求項１に記載の装置。
【請求項１１】
ワイヤレス通信の方法であって、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成することと、
送信のために前記メッセージを供給することと、
を備える方法。
【請求項１２】
前記メッセージを生成することは、５２個のトーンの前記セットに従って前記メッセージを生成することを備え、前記方法は、１６のインターリーバ深度と１１のベースサブキャリア回転とを使用して、５２個のトーンの前記セットに従って生成された前記メッセージのために、符号化データをインターリーブすることをさらに備える、請求項１１に記載の方法。
【請求項１３】
前記メッセージを生成することは、５２個のトーンの前記セットに従って前記メッセージを生成することを備え、前記方法は、前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブすることをさらに備える、請求項１１に記載の方法。
【請求項１４】
前記メッセージを生成することは、５２個のトーンの前記セットに従って前記メッセージを生成することを備え、前記方法は、３の低密度パリティチェック（ＬＤＰＣ）トーンマッピング距離（ＤＴＭ）を使用して、５２個のトーンの前記セットに従って生成された前記メッセージのために、前記メッセージのトーンをマッピングすることをさらに備える、請求項１１に記載の方法。
【請求項１５】
前記メッセージを生成することは、１０６個のトーンの前記セットに従って前記メッセージを生成することを備え、前記方法は、１７のインターリーバ深度と２９のベースサブキャリア回転とを使用して、１０６個のトーンの前記セットに従って生成された前記メッセージのために、符号化データをインターリーブすることをさらに備える、請求項１１に記載の方法。
【請求項１６】
前記メッセージを生成することは、１０６個のトーンの前記セットに従って前記メッセージを生成することを備え、前記方法は、前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブすることをさらに備える、請求項１１に記載の方法。
【請求項１７】
前記メッセージを生成することは、１０６個のトーンの前記セットに従って前記メッセージを生成することを備え、前記方法は、６の低密度パリティチェック（ＬＤＰＣ）トーンマッピング距離（ＤＴＭ）を使用して、１０６個のトーンの前記セットに従って生成された前記メッセージのために、前記メッセージのトーンをマッピングすることをさらに備える、請求項１１に記載の方法。
【請求項１８】
バイナリ畳み込みコードインターリービングを使用するとき、４つ以下の空間ストリーム上での送信のために前記メッセージを供給することをさらに備える、請求項１１に記載の方法。
【請求項１９】
前記方法は移動局上で実行され、
送信のために前記メッセージを供給することは、前記移動局をサービスするアクセスポイントに、前記移動局の送信機とアンテナとを通して前記メッセージを送信することを備える、
請求項１１に記載の方法。
【請求項２０】
前記方法はアクセスポイント上で実行され、
送信のために前記メッセージを供給することは、前記アクセスポイントによってサービスされる移動局に、前記アクセスポイントの送信機とアンテナとを通して前記メッセージを送信することを備える、
請求項１１に記載の方法。
【請求項２１】
ワイヤレス通信のための装置であって、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成するための手段と、
送信のために前記メッセージを供給するための手段と、
を備える装置。
【請求項２２】
１６のインターリーバ深度と１１のベースサブキャリア回転とを使用して、５２個のトーンの前記セットに従って生成された前記メッセージのために、符号化データをインターリーブするための手段をさらに備える、請求項２１に記載の装置。
【請求項２３】
前記メッセージを送信するために使用される各空間ストリームのための単一のサブキャリアごとのコード化ビット数の３倍に等しい数のインターリーバ行を使用して、５２個のトーンの前記セットに従って生成された前記メッセージのために、符号化データをインターリーブするための手段をさらに備える、請求項２１に記載の装置。
【請求項２４】
３のマッピング距離（ＤＴＭ）のための低密度パリティチェック（ＬＤＰＣ）トーン手段を使用して、５２個のトーンの前記セットに従って生成された前記メッセージのために、前記メッセージのトーンをマッピングするための手段をさらに備える、請求項２１に記載の装置。
【請求項２５】
１７のインターリーバ深度と２９のベースサブキャリア回転とを使用して、１０６個のトーンの前記セットに従って生成された前記メッセージのために、符号化データをインターリーブするための手段をさらに備える、請求項２１に記載の装置。
【請求項２６】
前記メッセージを送信するために使用される各空間ストリームのための単一のサブキャリアごとのコード化ビット数の６倍に等しい数のインターリーバ行を使用して、１０６個のトーンの前記セットに従って生成された前記メッセージのために、符号化データをインターリーブするための手段をさらに備える、請求項２１に記載の装置。
【請求項２７】
６のマッピング距離（ＤＴＭ）のための低密度パリティチェック（ＬＤＰＣ）トーン手段を使用して、１０６個のトーンの前記セットに従って生成された前記メッセージのために、前記メッセージのトーンをマッピングするための手段をさらに備える、請求項２１に記載の装置。
【請求項２８】
バイナリ畳み込みコードインターリービングを使用するとき、４つ以下の空間ストリーム上での送信のために前記メッセージを供給するための手段をさらに備える、請求項２１に記載の装置。
【請求項２９】
前記装置は移動局を備え、
送信のために前記メッセージを供給するための前記手段は、前記移動局をサービスするアクセスポイントに、前記移動局の送信機とアンテナとを通して前記メッセージを送信するための手段を備える、
請求項２１に記載の装置。
【請求項３０】
実行されたとき、装置に、
個々のデバイスへの割振りのための、４８個のデータトーンと４つのパイロットトーンとを備える５２個のトーンのセットと、
個々のデバイスへの割振りのための、１０２個のデータトーンと４つのパイロットトーンとを備える１０６個のトーンのセットと、
のうちの少なくとも１つに従ってワイヤレス通信のためのメッセージを生成することと、
送信のために前記メッセージを供給することと、
を行わせる命令を備える非一時的コンピュータ可読媒体。
【発明の詳細な説明】
【技術分野】
【０００１】
本開示のいくつかの態様は、一般にワイヤレス通信に関し、より詳細には、様々なトーンプランに従ってメッセージを供給するための方法および装置に関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、有利には、固定ワイヤードネットワークと比較して、ユーザモビリティと迅速なフィールド展開とを可能にする。
【０００４】
[0004]ワイヤレスネットワーク中のデバイスは、互いの間で情報を送信／受信することができる。デバイス送信は互いに干渉することがあり、いくつかの送信は他の送信を選択的に阻止することがある。多くのデバイスが通信ネットワークを共有する場合、輻輳および非効率的なリンク使用が生じることがある。したがって、ワイヤレスネットワークにおける通信効率を改善するためのシステム、方法、および非一時的コンピュータ可読媒体が必要とされる。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００６】
[0006]本明細書で説明する主題の１つまたは複数の実装形態の詳細が、添付の図面および以下の説明に記載されている。他の特徴、態様、および利点は、説明、図面、および特許請求の範囲から明らかになるであろう。以下の図の相対寸法は一定の縮尺で描かれていないことがあることに留意されたい。
【０００７】
[0007]本開示の一態様は、ワイヤレス通信のための装置を提供する。本装置は、メッセージのワイヤレス通信のための６４トーンプラン、１２８トーンプラン、２５６トーンプラン、５１２トーンプラン、および１０２４トーンプランのうちの１つから選択するように構成された処理システムを含む。６４トーンプランは、３８のデータトーン、４０のデータトーン、４２のデータトーン、４４のデータトーン、４６のデータトーン、および４８のデータトーンのうちの１つと、６４トーンプランが少なくとも１つの直流トーンを備えるとき、１８のパイロットトーン、１６のパイロットトーン、１４のパイロットトーン、１２のパイロットトーン、１０のパイロットトーン、および８のパイロットトーンのうちの多くとも１つと、６４トーンプランが少なくとも５つの直流トーンを備えるとき、１４のパイロットトーン、１２のパイロットトーン、１０のパイロットトーン、８のパイロットトーン、６のパイロットトーン、および４のパイロットトーンのうちの多くとも１つと、６４トーンプランが少なくとも７つの直流トーンを備えるとき、１２のパイロットトーン、１０のパイロットトーン、８のパイロットトーン、６のパイロットトーン、および４のパイロットトーンのうちの多くとも１つとを含む。１２８トーンプランは、９６のデータトーン、９８のデータトーン、１００のデータトーン、１０２のデータトーン、１０４のデータトーン、および１０６のデータトーンのうちの１つと、１２８トーンプランが少なくとも３つの直流トーンを備えるとき、１８のパイロットトーン、１６のパイロットトーン、１４のパイロットトーン、１２のパイロットトーン、１０のパイロットトーン、および８のパイロットトーンのうちの多くとも１つと、１２８トーンプランが少なくとも５つの直流トーンを備えるとき、１６のパイロットトーン、１４のパイロットトーン、１２のパイロットトーン、１０のパイロットトーン、８のパイロットトーン、および６のパイロットトーンのうちの多くとも１つと、１２８トーンプランが少なくとも７つの直流トーンを備えるとき、１４個のパイロットトーン、１２個のパイロットトーン、１０個のパイロットトーン、８つのパイロットトーン、および６つのパイロットトーンのうちの多くとも１つとを含む。２５６トーンプランは、２１６のデータトーン、２１８のデータトーン、２２０のデータトーン、２２２のデータトーン、２２４のデータトーン、２２５のデータトーン、２２６のデータトーン、２２８のデータトーン、２３０のデータトーン、および２３０のデータトーンのうちの１つと、２５６トーンプランが少なくとも３つの直流トーンを備えるとき、２６のパイロットトーン、２４のパイロットトーン、２２のパイロットトーン、２０のパイロットトーン、１８のパイロットトーン、１７のパイロットトーン、１６のパイロットトーン、１４のパイロットトーン、１２のパイロットトーン、および１０のパイロットトーンのうちの多くとも１つと、２５６トーンプランが少なくとも５つの直流トーンを備えるとき、２４のパイロットトーン、２２のパイロットトーン、２０のパイロットトーン、１８のパイロットトーン、１６のパイロットトーン、１５のパイロットトーン、１４のパイロットトーン、１２のパイロットトーン、１０のパイロットトーン、および８のパイロットトーンのうちの多くとも１つと、２５６トーンプランが少なくとも７つの直流トーンを備えるとき、２２のパイロットトーン、２０のパイロットトーン、１８のパイロットトーン、１６のパイロットトーン、１４のパイロットトーン、１３のパイロットトーン、１２のパイロットトーン、１０のパイロットトーン、および８のパイロットトーンのうちの多くとも１つとを含む。５１２トーンプランは、４７４のデータトーン、４７６のデータトーン、および４８０のデータトーンのうちの１つと、５１２トーンプランが少なくとも５つの直流トーンを備えるとき、２２のパイロットトーン、２０のパイロットトーン、および１６のパイロットトーンのうちの多くとも１つと、５１２トーンプランが少なくとも１１個の直流トーンを備えるとき、１６のパイロットトーンおよび１４のパイロットトーンのうちの多くとも１つとを備える。１０２４トーンプランは、９４８のデータトーン、９６０のデータトーン、９７２のデータトーン、９８０のデータトーン、９８４のデータトーン、９９０のデータトーン、および９９６のデータトーンのうちの１つと、１０２４トーンプランが少なくとも５つの直流トーンを備えるとき、６０のパイロットトーン、４８のパイロットトーン、３６のパイロットトーン、２８のパイロットトーン、２４のパイロットトーン、１８のパイロットトーン、および１２のパイロットトーンのうちの多くとも１つと、１０２４トーンプランが少なくとも１１個の直流トーンを備えるとき、５４のパイロットトーン、４２のパイロットトーン、３０のパイロットトーン、２２のパイロットトーン、１８のパイロットトーン、および１２のパイロットトーンのうちの多くとも１つとを備える。本装置は、さらに、６４トーンプランを選択すると、５ＭＨｚ帯域幅上での送信のためにメッセージを供給する。本装置は、さらに、１２８トーンプランを選択すると、１０ＭＨｚ帯域幅上での送信のためにメッセージを供給する。本装置は、さらに、２５６トーンプランを選択すると、２０ＭＨｚ帯域幅上での送信のためにメッセージを供給する。本装置は、さらに、５１２トーンプランを選択すると、４０ＭＨｚ帯域幅上での送信のためにメッセージを供給する。本装置は、さらに、１０２４トーンプランを選択すると、８０ＭＨｚ帯域幅上での送信のためにメッセージを供給する。
【０００８】
[0008]いくつかの態様では、本装置は、符号化データをインターリーブすることと、インターリーブされた符号化データに基づいて、送信のために一連のインターリーブされたビットを生成することとを行うように構成されたインターリーバを含み、インターリーバは、１つまたは複数の空間ストリームに対応する１つまたは複数のストリームインターリーバを備える。１つまたは複数のストリームインターリーバは、最高４つの空間ストリームについて、１〜１６のうちの少なくとも１つのインターリーブされた回転インデックス、および［０  ２  １  ３］のベースサブキャリア回転と、４より多い空間ストリームについて、１〜１０のうちの少なくとも１つのインターリーブされた回転インデックス、および［０  ４  ２  ６  １  ５  ３  ７］または［０  ５  ２  ７  ３  ６  １  ４］のベースサブキャリア回転または隣接するストリームの平均サブキャリア距離を最大にするように選定された別の置換と、１つまたは複数の空間ストリームを介して一連のインターリーブされたビットを送信するように構成された送信回路とを含む。
【０００９】
[0009]いくつかの態様では、１つまたは複数のストリームインターリーバは、３８のデータトーンブロックのための２または１９のインターリーバ深度と、４０のデータトーンブロックのための２、４、５、８、１０、または２０のインターリーバ深度と、４２のデータトーンブロックのための２、３、６、７、１４、または２１のインターリーバ深度と、４４のデータトーンブロックのための２、４、１１、または２２のインターリーバ深度と、４６のデータトーンブロックのための２または２３のインターリーバ深度と、４８のデータトーンブロックのための２、３、４、６、８、１２、１６、または２４のインターリーバ深度と、のうちの少なくとも１つをさらに含む。
【００１０】
[0010]いくつかの態様では、本装置は、符号化データをインターリーブすることと、インターリーブされた符号化データに基づいて、送信のために一連のインターリーブされたビットを生成することとを行うように構成されたインターリーバを含み、インターリーバは、１つまたは複数の空間ストリームに対応する１つまたは複数のストリームインターリーバを備える。１つまたは複数のストリームインターリーバは、最高４つの空間ストリームについて、１〜３１のうちの少なくとも１つのインターリーブされた回転インデックス、および［０  ２  １  ３］のベースサブキャリア回転と、４より多い空間ストリームについて、１〜１８のうちの少なくとも１つのインターリーブされた回転インデックス、および［０  ４  ２  ６  １  ５  ３  ７］または［０  ５  ２  ７  ３  ６  １  ４］のベースサブキャリア回転または隣接するストリームの平均サブキャリア距離を最大にするように選定された別の置換と、１つまたは複数の空間ストリームを介して一連のインターリーブされたビットを送信するように構成された送信回路とを含む。
【００１１】
[0011]いくつかの態様では、１つまたは複数のストリームインターリーバは、９６のデータトーンブロックのための２、３、４、６、８、１２、１６、２４、３２、または４８のインターリーバ深度と、９８のデータトーンブロックのための２、７、１４、または４９のインターリーバ深度と、１００のデータトーンブロックのための２、４、５、１０、２０、２５、または５０のインターリーバ深度と、１０２のデータトーンブロックのための２、３、６、１７、３４、または５１のインターリーバ深度と、１０４のデータトーンブロックのための２、４、８、１３、２６、または５２のインターリーバ深度と、１０６のデータトーンブロックのための２または５３のインターリーバ深度とのうちの少なくとも１つをさらに含む。
【００１２】
[0012]いくつかの態様では、本装置は、符号化データをインターリーブすることと、インターリーブされた符号化データに基づいて、送信のために一連のインターリーブされたビットを生成することとを行うように構成されたインターリーバを含み、インターリーバは、１つまたは複数の空間ストリームに対応する１つまたは複数のストリームインターリーバを備える。１つまたは複数のストリームインターリーバは、最高４つの空間ストリームについて、５０〜６２のうちの少なくとも１つのインターリーブされた回転インデックス、および［０  ２  １  ３］のベースサブキャリア回転と、４より多い空間ストリームについて、１〜３３のうちの少なくとも１つのインターリーブされた回転インデックス、および［０  ４  ２  ６  １  ５  ３  ７］または［０  ５  ２  ７  ３  ６  １  ４］のベースサブキャリア回転または隣接するストリームの平均サブキャリア距離を最大にするように選定された別の置換と、１つまたは複数の空間ストリームを介して一連のインターリーブされたビットを送信するように構成された送信回路と、を含む。
【００１３】
[0013]いくつかの態様では、１つまたは複数のストリームインターリーバは、２１６のデータトーンブロックのための２、３、４、６、８、９、１２、１８、２４、２７、３６、５４、７２、または１０８のインターリーバ深度と、２１８のデータトーンブロックのための２または１０９のインターリーバ深度と、２２０のデータトーンブロックのための２、４、５、１０、１１、２０、２２、４４、５５、または１１０のインターリーバ深度と、２２２のデータトーンブロックのための２、３、６、３７、７４、または１１１のインターリーバ深度と、２２４のデータトーンブロックのための２、４、７、８、１４、１６、２８、３２、５６、または１１２のインターリーバ深度と、２２５のデータトーンブロックのための３、５、９、１５、２５、４５、または７５のインターリーバ深度と、２２６のデータトーンブロックのための２または１１３のインターリーバ深度と、２２８のデータトーンブロックのための２、３、４、６、１２、１９、３８、５７、７６、または１１４のインターリーバ深度と、２３０のデータトーンブロックのための２、５、１０、２３、４６、または１１５のインターリーバ深度と、２３２のデータトーンブロックのための２、４、８、２９、５８、または１１６のインターリーバ深度とのうちの少なくとも１つをさらに含む。
【００１４】
[0014]いくつかの態様では、本装置は、符号化データをインターリーブすることと、インターリーブされた符号化データに基づいて、送信のために一連のインターリーブされたビットを生成することとを行うように構成されたインターリーバを含み、インターリーバは、１つまたは複数の空間ストリームに対応する１つまたは複数のストリームインターリーバを備える。１つまたは複数のストリームインターリーバは、最高４つの空間ストリームについて、１１３〜１２７のうちの少なくとも１つのインターリーブされた回転インデックス、および［０  ２  １  ３］のベースサブキャリア回転と、４より多い空間ストリームについて、５４〜６６のうちの少なくとも１つのインターリーブされた回転インデックス、および［０  ４  ２  ６  １  ５  ３  ７］または［０  ５  ２  ７  ３  ６  １  ４］ベースサブキャリア回転または隣接するストリームの平均サブキャリア距離を最大にするように選定された別の置換と、１つまたは複数の空間ストリームを介して一連のインターリーブされたビットを送信するように構成された送信回路と、を含む。
【００１５】
[0015]いくつかの態様では、１つまたは複数のストリームインターリーバは、４７４のデータトーンブロックのための２、３、６、７９、１５８、または２３７のインターリーバ深度と、４７６のデータトーンブロックのための２、４、７、１４、１７、２８、３４、６８、１１９、または２３８のインターリーバ深度と、４８０のデータトーンブロックのための２、３、４、５、６、８、１０、１２、１５、１６、２０、２４、３０、３２、４０、４８、６０、８０、９６、１２０、１６０、または２４０のインターリーバ深度とのうちの少なくとも１つをさらに含む。
【００１６】
[0016]いくつかの態様では、本装置は、符号化データをインターリーブすることと、インターリーブされた符号化データに基づいて、送信のために一連のインターリーブされたビットを生成することとを行うように構成されたインターリーバを含み、インターリーバは、１つまたは複数の空間ストリームに対応する１つまたは複数のストリームインターリーバを備える。１つまたは複数のストリームインターリーバは、最高４つの空間ストリームについて、２３２〜２５４のうちの少なくとも１つのインターリーブされた回転インデックス、および［０  ２  １  ３］のベースサブキャリア回転と、４より多い空間ストリームについて、１１３〜１３０のうちの少なくとも１つのインターリーブされた回転インデックス、および［０  ４  ２  ６  １  ５  ３  ７］または［０  ５  ２  ７  ３  ６  １  ４］のベースサブキャリア回転または隣接するストリームの平均サブキャリア距離を最大にするように選定された別の置換と、１つまたは複数の空間ストリームを介して一連のインターリーブされたビットを送信するように構成された送信回路と、を含む。
【００１７】
[0017]いくつかの態様では、１つまたは複数のストリームインターリーバは、９４８のデータトーンブロックのための２、３、４、６、１２、７９、１５８、２３７、３１６、または４７４のインターリーバ深度と、９６０のデータトーンブロックのための２、３、４、５、６、８、１０、１２、１５、１６、２０、２４、３０、３２、４０、４８、６０、６４、８０、９６、１２０、１６０、１９２、２４０、３２０、または４８０のインターリーバ深度と、９７２のデータトーンブロックのための２、３、４、６、９、１２、１８、２７、３６、５４、８１、１０８、１６２、２４３、３２４、または４８６のインターリーバ深度と、９８０のデータトーンブロックのための２、４、５、７、１０、１４、２０、２８、３５、４９、７０、９８、１４０、１９６、２４５、または４９０のインターリーバ深度と、９８４のデータトーンブロックのための２、３、４、６、８、１２、２４、４１、８２、１２３、１６４、２４６、３２８、または４９２のインターリーバ深度と、９９０のデータトーンブロックのための２、３、５、６、９、１０、１１、１５、１８、２２、３０、３３、４５、５５、６６、９０、９９、１１０、１６５、１９８、３３０、または４９５のインターリーバ深度と、９９６のデータトーンブロックのための２、３、４、６、１２、８３、１６６、２４９、３３２、または４９８のインターリーバ深度とのうちの少なくとも１つをさらに含む。
【００１８】
[0018]本開示の一態様は、ワイヤレス通信の方法を提供する。本方法は、ワイヤレスデバイスにおいて、メッセージのワイヤレス通信のための６４トーンプラン、１２８トーンプラン、２５６トーンプラン、５１２トーンプラン、および１０２４トーンプランのうちの１つから選択することを含み、ここにおいて、６４トーンプランは、３８のデータトーン、４０のデータトーン、４２のデータトーン、４４のデータトーン、４６のデータトーン、および４８のデータトーンのうちの１つと、６４トーンプランが少なくとも１つの直流トーンを備えるとき、１８のパイロットトーン、１６のパイロットトーン、１４のパイロットトーン、１２のパイロットトーン、１０のパイロットトーン、および８のパイロットトーンのうちの多くとも１つと、６４トーンプランが少なくとも５つの直流トーンを備えるとき、１４のパイロットトーン、１２のパイロットトーン、１０のパイロットトーン、８のパイロットトーン、６のパイロットトーン、および４のパイロットトーンのうちの多くとも１つと、６４トーンプランが少なくとも７つの直流トーンを備えるとき、１２のパイロットトーン、１０のパイロットトーン、８のパイロットトーン、６のパイロットトーン、および４のパイロットトーンのうちの多くとも１つとを備え；
１２８トーンプランは、９６のデータトーン、９８のデータトーン、１００のデータトーン、１０２のデータトーン、１０４のデータトーン、および１０６のデータトーンのうちの１つと、１２８トーンプランが少なくとも３つの直流トーンを備えるとき、１８個のパイロットトーン、１６個のパイロットトーン、１４個のパイロットトーン、１２個のパイロットトーン、１０個のパイロットトーン、および８つのパイロットトーンのうちの多くとも１つと、１２８トーンプランが少なくとも５つの直流トーンを備えるとき、１６のパイロットトーン、１４のパイロットトーン、１２のパイロットトーン、１０のパイロットトーン、８のパイロットトーン、および６のパイロットトーンのうちの多くとも１つと、１２８トーンプランが少なくとも７つの直流トーンを備えるとき、１４のパイロットトーン、１２のパイロットトーン、１０のパイロットトーン、８のパイロットトーン、および６のパイロットトーンのうちの多くとも１つとを備え；
２５６トーンプランは、２１６のデータトーン、２１８のデータトーン、２２０のデータトーン、２２２のデータトーン、２２４のデータトーン、２２５のデータトーン、２２６のデータトーン、２２８のデータトーン、２３０のデータトーン、および２３０のデータトーンのうちの１つと、２５６トーンプランが少なくとも３つの直流トーンを備えるとき、２６のパイロットトーン、２４のパイロットトーン、２２のパイロットトーン、２０のパイロットトーン、１８のパイロットトーン、１７のパイロットトーン、１６のパイロットトーン、１４のパイロットトーン、１２のパイロットトーン、および１０のパイロットトーンのうちの多くとも１つと、２５６トーンプランが少なくとも５つの直流トーンを備えるとき、２４のパイロットトーン、２２のパイロットトーン、２０のパイロットトーン、１８のパイロットトーン、１６のパイロットトーン、１５のパイロットトーン、１４のパイロットトーン、１２のパイロットトーン、１０のパイロットトーン、および８のパイロットトーンのうちの多くとも１つと、２５６トーンプランが少なくとも７つの直流トーンを備えるとき、２２のパイロットトーン、２０のパイロットトーン、１８のパイロットトーン、１６のパイロットトーン、１４のパイロットトーン、１３のパイロットトーン、１２のパイロットトーン、１０のパイロットトーン、および８のパイロットトーンのうちの多くとも１つとを備え；
５１２トーンプランは、４７４のデータトーン、４７６のデータトーン、および４８０のデータトーンのうちの１つと、５１２トーンプランが少なくとも５つの直流トーンを備えるとき、２２のパイロットトーン、２０のパイロットトーン、および１６のパイロットトーンのうちの多くとも１つと、５１２トーンプランが少なくとも１１個の直流トーンを備えるとき、１６のパイロットトーンおよび１４のパイロットトーンのうちの多くとも１つとを備え；
１０２４トーンプランは、９４８のデータトーン、９６０のデータトーン、９７２のデータトーン、９８０のデータトーン、９８４のデータトーン、９９０のデータトーン、および９９６のデータトーンのうちの１つと、１０２４トーンプランが少なくとも５つの直流トーンを備えるとき、６０のパイロットトーン、４８のパイロットトーン、３６のパイロットトーン、２８のパイロットトーン、２４のパイロットトーン、１８のパイロットトーン、および１２のパイロットトーンのうちの多くとも１つと、１０２４トーンプランが少なくとも１１個の直流トーンを備えるとき、５４のパイロットトーン、４２のパイロットトーン、３０のパイロットトーン、２２のパイロットトーン、１８のパイロットトーン、および１２のパイロットトーンのうちの多くとも１つとを備える。
本方法は、６４トーンプランを選択すると、５ＭＨｚ帯域幅上での送信のためにメッセージを供給することと、１２８トーンプランを選択すると、１０ＭＨｚ帯域幅上での送信のためにメッセージを供給することと、２５６トーンプランを選択すると、２０ＭＨｚ帯域幅上での送信のためにメッセージを供給することと、５１２トーンプランを選択すると、４０ＭＨｚ帯域幅上での送信のためにメッセージを供給することと、１０２４トーンプランを選択すると、８０ＭＨｚ帯域幅上での送信のためにメッセージを供給することとをさらに含む。
【００１９】
[0019]本開示の一態様は、ワイヤレス通信のための装置を提供する。本装置は、メッセージのワイヤレス通信のために６４トーンプラン、１２８トーンプラン、２５６トーンプラン、５１２トーンプラン、および１０２４トーンプランのうちの１つから選択するための手段を含み、ここにおいて、６４トーンプランは、３８のデータトーン、４０のデータトーン、４２のデータトーン、４４のデータトーン、４６のデータトーン、および４８のデータトーンのうちの１つと、６４トーンプランが少なくとも１つの直流トーンを備えるとき、１８のパイロットトーン、１６のパイロットトーン、１４のパイロットトーン、１２のパイロットトーン、１０のパイロットトーン、および８のパイロットトーンのうちの多くとも１つと、６４トーンプランが少なくとも５つの直流トーンを備えるとき、１４のパイロットトーン、１２のパイロットトーン、１０のパイロットトーン、８のパイロットトーン、６のパイロットトーン、および４のパイロットトーンのうちの多くとも１つと、６４トーンプランが少なくとも７つの直流トーンを備えるとき、１２のパイロットトーン、１０のパイロットトーン、８つのパイロットトーン、６つのパイロットトーン、および４のパイロットトーンのうちの多くとも１つとを備え、
１２８トーンプランは、９６のデータトーン、９８のデータトーン、１００のデータトーン、１０２のデータトーン、１０４のデータトーン、および１０６のデータトーンのうちの１つと、１２８トーンプランが少なくとも３つの直流トーンを備えるとき、１８のパイロットトーン、１６のパイロットトーン、１４のパイロットトーン、１２のパイロットトーン、１０のパイロットトーン、および８のパイロットトーンのうちの多くとも１つと、１２８トーンプランが少なくとも５つの直流トーンを備えるとき、１６のパイロットトーン、１４のパイロットトーン、１２のパイロットトーン、１０のパイロットトーン、８のパイロットトーン、および６のパイロットトーンのうちの多くとも１つと、１２８トーンプランが少なくとも７つの直流トーンを備えるとき、１４のパイロットトーン、１２のパイロットトーン、１０のパイロットトーン、８のパイロットトーン、および６のパイロットトーンのうちの多くとも１つとを備え；
２５６トーンプランは、２１６のデータトーン、２１８のデータトーン、２２０のデータトーン、２２２のデータトーン、２２４のデータトーン、２２５のデータトーン、２２６のデータトーン、２２８のデータトーン、２３０のデータトーン、および２３０のデータトーンのうちの１つと、２５６トーンプランが少なくとも３つの直流トーンを備えるとき、２６のパイロットトーン、２４のパイロットトーン、２２のパイロットトーン、２０のパイロットトーン、１８のパイロットトーン、１７のパイロットトーン、１６のパイロットトーン、１４のパイロットトーン、１２のパイロットトーン、および１０のパイロットトーンのうちの多くとも１つと、２５６トーンプランが少なくとも５つの直流トーンを備えるとき、２４のパイロットトーン、２２のパイロットトーン、２０のパイロットトーン、１８のパイロットトーン、１６のパイロットトーン、１５のパイロットトーン、１４のパイロットトーン、１２のパイロットトーン、１０のパイロットトーン、および８のパイロットトーンのうちの多くとも１つと、２５６トーンプランが少なくとも７つの直流トーンを備えるとき、２２のパイロットトーン、２０のパイロットトーン、１８のパイロットトーン、１６のパイロットトーン、１４のパイロットトーン、１３のパイロットトーン、１２のパイロットトーン、１０のパイロットトーン、および８のパイロットトーンのうちの多くとも１つとを備え、
５１２トーンプランは、４７４のデータトーン、４７６のデータトーン、および４８０のデータトーンのうちの１つと、５１２トーンプランが少なくとも５つの直流トーンを備えるとき、２２のパイロットトーン、２０のパイロットトーン、および１６のパイロットトーンのうちの多くとも１つと、５１２トーンプランが少なくとも１１個の直流トーンを備えるとき、１６のパイロットトーンおよび１４のパイロットトーンのうちの多くとも１つとを備え；
１０２４トーンプランは、９４８のデータトーン、９６０のデータトーン、９７２のデータトーン、９８０のデータトーン、９８４のデータトーン、９９０のデータトーン、および９９６のデータトーンのうちの１つと、１０２４トーンプランが少なくとも５つの直流トーンを備えるとき、６０のパイロットトーン、４８のパイロットトーン、３６のパイロットトーン、２８のパイロットトーン、２４のパイロットトーン、１８のパイロットトーン、および１２のパイロットトーンのうちの多くとも１つと、１０２４トーンプランが少なくとも１１個の直流トーンを備えるとき、５４のパイロットトーン、４２のパイロットトーン、３０のパイロットトーン、２２のパイロットトーン、１８のパイロットトーン、および１２のパイロットトーンのうちの多くとも１つとを備える。
本装置は、６４トーンプランを選択すると、５ＭＨｚ帯域幅上での送信のためにメッセージを供給するための手段と、１２８トーンプランを選択すると、１０ＭＨｚ帯域幅上での送信のためにメッセージを供給するための手段と、２５６トーンプランを選択すると、２０ＭＨｚ帯域幅上での送信のためにメッセージを供給するための手段と、５１２トーンプランを選択すると、４０ＭＨｚ帯域幅上での送信のためにメッセージを供給するための手段と、１０２４トーンプランを選択すると、８０ＭＨｚ帯域幅上での送信のためにメッセージを供給するための手段とをさらに含む。
【００２０】
[0020]本開示の一態様は、実行されたとき、装置に、メッセージのワイヤレス通信のための６４トーンプラン、１２８トーンプラン、２５６トーンプラン、５１２トーンプラン、および１０２４トーンプランのうちの１つから選択することを行わせるコードを備える非一時的コンピュータ可読媒体を提供し、ここにおいて、６４トーンプランは、３８のデータトーン、４０のデータトーン、４２のデータトーン、４４のデータトーン、４６のデータトーン、および４８のデータトーンのうちの１つと、６４トーンプランが少なくとも１つの直流トーンを備えるとき、１８のパイロットトーン、１６のパイロットトーン、１４のパイロットトーン、１２のパイロットトーン、１０のパイロットトーン、および８のパイロットトーンのうちの多くとも１つと、６４トーンプランが少なくとも５つの直流トーンを備えるとき、１４のパイロットトーン、１２のパイロットトーン、１０のパイロットトーン、８のパイロットトーン、６のパイロットトーン、および４のパイロットトーンのうちの多くとも１つと、６４トーンプランが少なくとも７つの直流トーンを備えるとき、１２のパイロットトーン、１０のパイロットトーン、８のパイロットトーン、６のパイロットトーン、および４のパイロットトーンのうちの多くとも１つとを備え、
１２８トーンプランは、９６のデータトーン、９８のデータトーン、１００のデータトーン、１０２のデータトーン、１０４のデータトーン、および１０６のデータトーンのうちの１つと、１２８トーンプランが少なくとも３つの直流トーンを備えるとき、１８のパイロットトーン、１６のパイロットトーン、１４のパイロットトーン、１２のパイロットトーン、１０のパイロットトーン、および８のパイロットトーンのうちの多くとも１つと、１２８トーンプランが少なくとも５つの直流トーンを備えるとき、１６のパイロットトーン、１４のパイロットトーン、１２のパイロットトーン、１０のパイロットトーン、８のパイロットトーン、および６のパイロットトーンのうちの多くとも１つと、１２８トーンプランが少なくとも７つの直流トーンを備えるとき、１４のパイロットトーン、１２のパイロットトーン、１０のパイロットトーン、８のパイロットトーン、および６のパイロットトーンのうちの多くとも１つとを備え、
２５６トーンプランは、２１６のデータトーン、２１８のデータトーン、２２０のデータトーン、２２２のデータトーン、２２４のデータトーン、２２５のデータトーン、２２６のデータトーン、２２８のデータトーン、２３０のデータトーン、および２３０のデータトーンのうちの１つと、２５６トーンプランが少なくとも３つの直流トーンを備えるとき、２６のパイロットトーン、２４のパイロットトーン、２２のパイロットトーン、２０のパイロットトーン、１８のパイロットトーン、１７のパイロットトーン、１６のパイロットトーン、１４のパイロットトーン、１２のパイロットトーン、および１０のパイロットトーンのうちの多くとも１つと、２５６トーンプランが少なくとも５つの直流トーンを備えるとき、２４のパイロットトーン、２２のパイロットトーン、２０のパイロットトーン、１８のパイロットトーン、１６のパイロットトーン、１５のパイロットトーン、１４のパイロットトーン、１２のパイロットトーン、１０のパイロットトーン、および８のパイロットトーンのうちの多くとも１つと、２５６トーンプランが少なくとも７つの直流トーンを備えるとき、２２のパイロットトーン、２０のパイロットトーン、１８のパイロットトーン、１６のパイロットトーン、１４のパイロットトーン、１３のパイロットトーン、１２のパイロットトーン、１０のパイロットトーン、および８のパイロットトーンのうちの多くとも１つとを備え、
５１２トーンプランは、４７４のデータトーン、４７６のデータトーン、および４８０のデータトーンのうちの１つと、５１２トーンプランが少なくとも５つの直流トーンを備えるとき、２２のパイロットトーン、２０のパイロットトーン、および１６のパイロットトーンのうちの多くとも１つと、５１２トーンプランが少なくとも１１個の直流トーンを備えるとき、１６のパイロットトーンおよび１４のパイロットトーンのうちの多くとも１つとを備え、
１０２４トーンプランは、９４８のデータトーン、９６０のデータトーン、９７２のデータトーン、９８０のデータトーン、９８４のデータトーン、９９０のデータトーン、および９９６のデータトーンのうちの１つと、１０２４トーンプランが少なくとも５つの直流トーンを備えるとき、６０のパイロットトーン、４８のパイロットトーン、３６のパイロットトーン、２８のパイロットトーン、２４のパイロットトーン、１８のパイロットトーン、および１２のパイロットトーンのうちの多くとも１つと、１０２４トーンプランが少なくとも１１個の直流トーンを備えるとき、５４のパイロットトーン、４２のパイロットトーン、３０のパイロットトーン、２２のパイロットトーン、１８のパイロットトーン、および１２のパイロットトーンのうちの多くとも１つとを備える。
本装置は、さらに、６４トーンプランを選択すると、５ＭＨｚ帯域幅上での送信のためにメッセージを供給し、１２８トーンプランを選択すると、１０ＭＨｚ帯域幅上での送信のためにメッセージを供給し、２５６トーンプランを選択すると、２０ＭＨｚ帯域幅上での送信のためにメッセージを供給し、５１２トーンプランを選択すると、４０ＭＨｚ帯域幅上での送信のためにメッセージを供給し、１０２４トーンプランを選択すると、８０ＭＨｚ帯域幅上での送信のためにメッセージを供給する。
【００２１】
[0021]別の態様は、ワイヤレス通信を実施するように構成された別の装置を提供する。本装置は、命令を記憶するメモリを含む。本装置は、メモリと結合されたプロセッサをさらに含む。プロセッサは、個々のデバイスへの割振りのための、４８個のデータトーンと４つのパイロットトーンとを含む５２個のトーンのセットと、個々のデバイスへの割振りのための、１０２個のデータトーンと４つのパイロットトーンとを含む１０６個のトーンのセットと、のうちの少なくとも１つに従って、ワイヤレス通信のためのメッセージを生成するために命令を実行するように構成される。プロセッサは、送信のためにメッセージを供給するために命令を実行するようにさらに構成される。
【００２２】
[0022]様々な実施形態では、プロセッサは、１６のインターリーバ深度と１１のベースサブキャリア回転とを使用して、５２個のトーンのセットに従って生成されたメッセージのために、符号化データをインターリーブするために命令を実行するようにさらに構成され得る。様々な実施形態では、プロセッサは、メッセージを送信するために使用される各空間ストリームのための単一のサブキャリアごとのコード化ビット数の３倍に等しい数のインターリーバ行（row）を使用して、５２個のトーンのセットに従って生成されたメッセージのために、符号化データをインターリーブするために命令を実行するようにさらに構成され得る。様々な実施形態では、プロセッサは、３の低密度パリティチェック（ＬＤＰＣ：low density parity check）トーンマッピング距離（ＤＴＭ）（low density parity check（LDPC） tone mapping distance (DTM) of 3）を使用して、５２個のトーンのセットに従って生成されたメッセージのために、メッセージのトーンをマッピングするために命令を実行するようにさらに構成され得る。
【００２３】
[0023]様々な実施形態では、プロセッサは、１７のインターリーバ深度と２９のベースサブキャリア回転とを使用して、１０６個のトーンのセットに従って生成されたメッセージのために、符号化データをインターリーブするために命令を実行するようにさらに構成され得る。様々な実施形態では、プロセッサは、メッセージを送信するために使用される各空間ストリームのための単一のサブキャリアごとのコード化ビット数の６倍に等しい数のインターリーバ行を使用して、１０６個のトーンのセットに従って生成されたメッセージのために、符号化データをインターリーブするために命令を実行するようにさらに構成され得る。様々な実施形態では、プロセッサは、６の低密度パリティチェック（ＬＤＰＣ）トーンマッピング距離（ＤＴＭ）（low density parity check（LDPC） tone mapping distance (DTM) of 6）を使用して、１０６個のトーンのセットに従って生成されたメッセージのために、メッセージのトーンをマッピングするために命令を実行するようにさらに構成され得る。
【００２４】
[0024]様々な実施形態では、プロセッサは、バイナリ畳み込みコードインターリービングを使用するとき、４つ以下の空間ストリーム上での送信のためにメッセージを供給するように構成され得る。様々な実施形態では、装置は移動局であり得、プロセッサは、移動局をサービスするアクセスポイントに、移動局の送信機とアンテナとを通してメッセージを送信するように構成されることによって、送信のためにメッセージを供給するように構成され得る。様々な実施形態では、装置はアクセスポイントであり得、プロセッサは、アクセスポイントによってサービスされる移動局に、アクセスポイントの送信機とアンテナとを通してメッセージを送信するように構成されることによって、送信のためにメッセージを供給するように構成され得る。
【００２５】
[0025]別の態様は、ワイヤレス通信の別の方法を提供する。本方法は、個々のデバイスへの割振りのための、４８個のデータトーンと４つのパイロットトーンとを含む５２個のトーンのセットと、個々のデバイスへの割振りのための、１０２個のデータトーンと４つのパイロットトーンとを含む１０６個のトーンのセットとのうちの少なくとも１つに従ってワイヤレス通信のためのメッセージを生成することを含む。本方法は、送信のためにメッセージを供給することをさらに含む。
【００２６】
[0026]様々な実施形態では、本方法は、１６のインターリーバ深度と１１のベースサブキャリア回転とを使用して、５２個のトーンのセットに従って生成されたメッセージのために、符号化データをインターリーブすることをさらに含むことができる。様々な実施形態では、本方法は、５２個のトーンのセットに従って生成されたメッセージのために、メッセージを送信するために使用される各空間ストリームのための単一のサブキャリアごとのコード化ビット数の３倍に等しい数のインターリーバ行を使用して、符号化データをインターリーブすることをさらに含むことができる。様々な実施形態では、本方法は、３の低密度パリティチェック（ＬＤＰＣ）トーンマッピング距離（ＤＴＭ）を使用して、５２個のトーンのセットに従って生成されたメッセージのために、メッセージのトーンをマッピングすることをさらに含むことができる。
【００２７】
[0027]様々な実施形態では、本方法は、１７のインターリーバ深度と２９のベースサブキャリア回転とを使用して、１０６個のトーンのセットに従って生成されたメッセージのために、符号化データをインターリーブすることをさらに含むことができる。様々な実施形態では、本方法は、１０６個のトーンのセットに従って生成されたメッセージのために、メッセージを送信するために使用される各空間ストリームのための単一のサブキャリアごとのコード化ビット数の６倍に等しい数のインターリーバ行を使用して、符号化データをインターリーブすることをさらに含むことができる。様々な実施形態では、本方法は、６の低密度パリティチェック（ＬＤＰＣ）トーンマッピング距離（ＤＴＭ）を使用して、１０６個のトーンのセットに従って生成されたメッセージのために、メッセージのトーンをマッピングすることをさらに含むことができる。
【００２８】
[0028]様々な実施形態では、本方法は、バイナリ畳み込みコードインターリービングを使用するとき、４つ以下の空間ストリーム上での送信のためにメッセージを供給することをさらに含むことができる。様々な実施形態では、本方法は移動局上で実施され得、送信のためにメッセージを供給することは、移動局をサービスするアクセスポイントに、移動局の送信機とアンテナとを通してメッセージを送信することを含む。様々な実施形態では、本方法はアクセスポイント上で実施され得、送信のためにメッセージを供給することは、アクセスポイントによってサービスされる移動局に、アクセスポイントの送信機とアンテナとを通してメッセージを送信することを含む。
【００２９】
[0029]別の態様は、ワイヤレス通信のための別の装置を提供する。本装置は、個々のデバイスへの割振りのための、４８個のデータトーンと４つのパイロットトーンとを含む５２個のトーンのセットと、個々のデバイスへの割振りのための、１０２個のデータトーンと４つのパイロットトーンとを含む１０６個のトーンのセットとのうちの少なくとも１つに従ってワイヤレス通信のためのメッセージを生成するための手段を含む。本装置は、送信のためにメッセージを供給するための手段をさらに含む。
【００３０】
[0030]様々な実施形態では、本装置は、１６のインターリーバ深度と１１のベースサブキャリア回転とを使用して、５２個のトーンのセットに従って生成されたメッセージのために、符号化データをインターリーブするための手段をさらに含むことができる。様々な実施形態では、本装置は、５２個のトーンのセットに従って生成されたメッセージのために、メッセージを送信するために使用される各空間ストリームのための単一のサブキャリアごとのコード化ビット数の３倍に等しい数のインターリーバ行を使用して、符号化データをインターリーブするための手段をさらに含むことができる。様々な実施形態では、本装置は、３のマッピング距離（ＤＴＭ）のための低密度パリティチェック（ＬＤＰＣ）トーン手段を使用して、５２個のトーンのセットに従って生成されたメッセージのために、メッセージのトーンをマッピングするための手段をさらに含むことができる。
【００３１】
[0031]様々な実施形態では、本装置は、１７のインターリーバ深度と２９のベースサブキャリア回転とを使用して、１０６個のトーンのセットに従って生成されたメッセージのために、符号化データをインターリーブするための手段をさらに含むことができる。様々な実施形態では、本装置は、１０６個のトーンのセットに従って生成されたメッセージのために、メッセージを送信するために使用される各空間ストリームのための単一のサブキャリアごとのコード化ビット数の６倍に等しい数のインターリーバ行を使用して、符号化データをインターリーブするための手段をさらに含むことができる。様々な実施形態では、本装置は、６のマッピング距離（ＤＴＭ）のための低密度パリティチェック（ＬＤＰＣ）トーン手段を使用して、１０６個のトーンのセットに従って生成されたメッセージのために、メッセージのトーンをマッピングするための手段をさらに含むことができる。
【００３２】
[0032]様々な実施形態では、本装置は、バイナリ畳み込みコードインターリービングを使用するとき、４つ以下の空間ストリーム上での送信のためにメッセージを供給するための手段をさらに含むことができる。様々な実施形態では、本装置は移動局を含み、送信のためにメッセージを供給するための手段は、移動局をサービスするアクセスポイントに、移動局の送信機とアンテナとを通してメッセージを送信するための手段を含む。様々な実施形態では、本装置はアクセスポイントを含み、送信のためにメッセージを供給するための手段は、アクセスポイントによってサービスされる移動局に、アクセスポイントの送信機とアンテナとを通してメッセージを送信するための手段を含む。
【００３３】
[0033]別の態様は、別の非一時的コンピュータ可読媒体を提供する。本媒体は、実行されたとき、装置に、個々のデバイスへの割振りのための、４８個のデータトーンと４つのパイロットトーンとを含む５２個のトーンのセットと、個々のデバイスへの割振りのための、１０２個のデータトーンと４つのパイロットトーンとを含む１０６個のトーンのセットとのうちの少なくとも１つに従ってワイヤレス通信のためのメッセージを生成することを行わせる命令を含む。本媒体は、実行されたとき、装置に、送信のためにメッセージを供給することを行わせる命令をさらに含む。
【００３４】
[0034]様々な実施形態では、本媒体は、実行されたとき、装置に、１６のインターリーバ深度と１１のベースサブキャリア回転とを使用して、５２個のトーンのセットに従って生成されたメッセージのために、符号化データをインターリーブすることを行わせる命令をさらに含むことができる。様々な実施形態では、本媒体は、実行されたとき、装置に、５２個のトーンのセットに従って生成されたメッセージのために、メッセージを送信するために使用される各空間ストリームのための単一のサブキャリアごとのコード化ビット数の３倍に等しい数のインターリーバ行を使用して、符号化データをインターリーブすることを行わせる命令をさらに含むことができる。様々な実施形態では、本媒体は、実行されたとき、装置に、３の低密度パリティチェック（ＬＤＰＣ）トーンマッピング距離（ＤＴＭ）を使用して、５２個のトーンのセットに従って生成されたメッセージのために、メッセージのトーンをマッピングすることを行わせる命令をさらに含むことができる。
【００３５】
[0035]様々な実施形態では、本媒体は、実行されたとき、装置に、１７のインターリーバ深度と２９のベースサブキャリア回転とを使用して、１０６個のトーンのセットに従って生成されたメッセージのために、符号化データをインターリーブすることを行わせる命令をさらに含むことができる。様々な実施形態では、本媒体は、実行されたとき、装置に、１０６個のトーンのセットに従って生成されたメッセージのために、メッセージを送信するために使用される各空間ストリームのための単一のサブキャリアごとのコード化ビット数の６倍に等しい数のインターリーバ行を使用して、符号化データをインターリーブすることを行わせる命令をさらに含むことができる。様々な実施形態では、本媒体は、実行されたとき、装置に、６の低密度パリティチェック（ＬＤＰＣ）トーンマッピング距離（ＤＴＭ）を使用して、１０６個のトーンのセットに従って生成されたメッセージのために、メッセージのトーンをマッピングすることを行わせる命令をさらに含むことができる。
【００３６】
[0036]様々な実施形態では、本媒体は、実行されたとき、装置に、バイナリ畳み込みコードインターリービングを使用するとき、４つ以下の空間ストリーム上での送信のためにメッセージを供給することを行わせる命令をさらに含むことができる。様々な実施形態では、装置は移動局であり得、本媒体は、実行されたとき、装置に、移動局をサービスするアクセスポイントに、移動局の送信機とアンテナとを通してメッセージを送信することによって、送信のためにメッセージを供給することを行わせる命令をさらに含むことができる。様々な実施形態では、装置はアクセスポイントであり得、本媒体は、実行されたとき、装置に、アクセスポイントによってサービスされる移動局に、アクセスポイントの送信機とアンテナとを通してメッセージを送信することによって、送信のためにメッセージをインターリーブする供給することを行わせる命令をさらに含むことができる。
【図面の簡単な説明】
【００３７】
【図１】本開示の態様が採用され得るワイヤレス通信システムの一例を示す図。
【図２】図１のワイヤレス通信システム内で採用され得るワイヤレスデバイスにおいて利用され得る様々な構成要素を示す図。
【図３】一実施形態による、例示的な２Ｎトーンプランを示す図。
【図４】様々な実施形態による、６４トーンプラン、１２８トーンプラン、２５６トーンプラン、５１２トーンプラン、および１０２４トーンプランについての限界を示す図。
【図５】様々な実施形態による、６４トーンプランを示す図。
【図６】様々な実施形態による、１２８トーンプランを示す図。
【図７】様々な実施形態による、２５６トーンプランを示す図。
【図８】様々な実施形態による、５１２トーンプランを示す図。
【図９】様々な実施形態による、１０２４トーンプランを示す図。
【図１０】一実施形態による、直交周波数分割多元接続（ＯＦＤＭＡ）トーンプランのためのインターリービングパラメータを生成するように動作可能であるシステムを示す図。
【図１１】ワイヤレス通信を送信および受信するために、図１０のワイヤレスデバイスなど、ワイヤレスデバイスにおいて実装され得る例示的な多入力多出力（ＭＩＭＯ）システムを示す図。
【図１２】６４トーンプラン実施形態による、様々なデータトーン数のための候補インターリーバパラメータを示すチャート。
【図１３】１２８トーンプラン実施形態による、様々なデータトーン数のための候補インターリーバパラメータを示すチャート。
【図１４】２５６トーンプラン実施形態による、様々なデータトーン数のための候補インターリーバパラメータを示すチャート。
【図１５】５１２トーンプラン実施形態による、様々なデータトーン数のための候補インターリーバパラメータを示すチャート。
【図１６】１０２４トーンプラン実施形態による、様々なデータトーン数のための候補インターリーバパラメータを示すチャート。
【図１７】様々なデータトーン数（Ｎｄａｔａ）のための例示的な低密度パリティチェック（ＬＤＰＣ）トーンマッピング距離（ＤＴＭ）を示すチャート。
【図１８】様々なデータトーン数（Ｎｄａｔａ）のための例示的な変調およびコーディング方式（ＭＣＳ）有効性を示すチャート。
【図１９】様々なデータトーン数（Ｎｄａｔａ）のための例示的な変調およびコーディング方式（ＭＣＳ）有効性を示す別のチャート。
【図２０】図１のワイヤレス通信システム内に採用され得るワイヤレス通信の例示的な方法のためのフローチャートを示す図。
【図２１】図１のワイヤレス通信システム内に採用され得るワイヤレス通信の別の例示的な方法のためのフローチャートを示す図。
【発明を実施するための形態】
【００３８】
[0058]添付の図面を参照しながら、新規のシステム、装置、および方法の様々な態様について以下でより十分に説明する。ただし、教示開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって実施され得ることを理解されたい。
【００３９】
[0059]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００４０】
[0060]ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００４１】
[0061]いくつかの態様では、ワイヤレス信号は、直交周波数分割多重（ＯＦＤＭ）、直接シーケンススペクトラム拡散（ＤＳＳＳ：direct-sequence spread spectrum）通信、ＯＦＤＭとＤＳＳＳ通信との組合せ、または他の方式を使用して、高効率８０２．１１プロトコルに従って送信され得る。
【００４２】
[0062]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントがあり得る。概して、ＡＰはＷＬＡＮのためのハブまたは基地局として働き、ＳＴＡはＷＬＡＮのユーザとして働く。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｘなどのＩＥＥＥ８０２．１１プロトコル）準拠ワイヤレスリンクを介してＡＰに接続する。いくつかの実装形態では、ＳＴＡはＡＰとして使用されることもある。
【００４３】
[0063]本明細書で説明する技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、ＧＳＭ（登録商標）または当技術分野で知られている何らかの他の規格を実装することができる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアはデータで独立して変調され得る。ＯＦＤＭシステムは、当技術分野で知られているＩＥＥＥ８０２．１１または何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））または他の規格を実装することができる。
【００４４】
[0064]本明細書の教示は、様々なワイヤードまたはワイヤレス装置（たとえば、ノード）に組み込まれ得る（たとえば、その装置内に実装されるか、またはその装置によって実施され得る）。いくつかの態様では、本明細書の教示に従って実装されるワイヤレスノードはアクセスポイントまたはアクセス端末を備えることができる。
【００４５】
[0065]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００４６】
[0066]局（「ＳＴＡ」）は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００４７】
[0067]図１に、本開示の態様が採用され得るワイヤレス通信システム１００の一例を示す。ワイヤレス通信システム１００は、ワイヤレス規格、たとえば８０２．１１ａｘ規格に従って動作することができる。ワイヤレス通信システム１００は、ＳＴＡ１０６と通信するＡＰ１０４を含むことができる。
【００４８】
[0068]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００４９】
[0069]ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００５０】
[0070]ＡＰ１０４は、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能することができることに留意されたい。したがって、本明細書で説明するＡＰ１０４の機能は、代替的にＳＴＡ１０６のうちの１つまたは複数によって実施され得る。
【００５１】
[0071]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を備えるか、または複数のＳＴＡ１０６のうちの１つを備えることができる。
【００５２】
[0072]ワイヤレスデバイス２０２は、ワイヤレスデバイス２０２の動作を制御するプロセッサ２０４を含むことができる。プロセッサ２０４は中央処理ユニット（ＣＰＵ）と呼ばれることもある。読取り専用メモリ（ＲＯＭ）とランダムアクセスメモリ（ＲＡＭ）の両方を含むことができるメモリ２０６は、命令とデータとをプロセッサ２０４に供給する。メモリ２０６の一部分は、不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを実施する。メモリ２０６中の命令は、本明細書で説明する方法を実装するように実行可能であり得る。
【００５３】
[0073]プロセッサ２０４は、１つまたは複数のプロセッサを用いて実装された処理システムを備えるか、またはその処理システムの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実施することができる任意の他の好適なエンティティの任意の組合せを用いて実装され得る。
【００５４】
[0074]処理システムは、ソフトウェアを記憶するための機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含むことができる。命令は、１つまたは複数のプロセッサによって実行されたとき、本明細書で説明する様々な機能を処理システムに実施させる。
【００５５】
[0075]ワイヤレスデバイス２０２はまた、ワイヤレスデバイス２０２と遠隔ロケーションとの間のデータの送信および受信を可能にするために送信機２１０と受信機２１２とを含むことができるハウジング２０８を含むことができる。送信機２１０と受信機２１２とは、組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、ＭＩＭＯ通信中に利用され得る、複数の送信機、複数の受信機、複数のトランシーバ、および／または複数のアンテナを含むことができる（図示せず）。
【００５６】
[0076]ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様では、データユニットは物理レイヤデータユニット（ＰＰＤＵ：physical layer data unit）を備えることができる。いくつかの態様では、ＰＰＤＵはパケットと呼ばれる。
【００５７】
[0077]ワイヤレスデバイス２０２は、いくつかの態様では、ユーザインターフェース２２２をさらに備えることができる。ユーザインターフェース２２２は、キーパッド、マイクロフォン、スピーカー、および／またはディスプレイを備えることができる。ユーザインターフェース２２２は、ワイヤレスデバイス２０２のユーザに情報を伝達し、および／またはユーザからの入力を受信する、任意の要素または構成要素を含むことができる。
【００５８】
[0078]ワイヤレスデバイス２０２の様々な構成要素は、バスシステム２２６によって互いに結合され得る。バスシステム２２６は、たとえば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは供給し得ることを、当業者は諒解されよう。
【００５９】
[0079]図２には、いくつかの別個の構成要素が示されているが、構成要素のうちの１つまたは複数が組み合わせられるか、または共通に実装され得ることを、当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示されている構成要素の各々は、複数の別個の要素を使用して実装され得る。
【００６０】
[0080]上記で説明したように、ワイヤレスデバイス２０２は、ＡＰ１０４またはＳＴＡ１０６Ａ〜１０６Ｄのいずれかを備えることができ、通信を送信および／または受信するために使用され得る。ワイヤレスネットワークにおけるデバイス間で交換される通信は、パケットまたはフレームを備えることができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実施するために、およびデータを確実に配信するために、データフレームとともに使用され得る（たとえば、データの受信を確認応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００６１】
[0081]本開示のいくつかの態様は、ＡＰ１０４が、効率を改善するために最適化された方法でＳＴＡ１０６送信を割り振ることを可能にすることをサポートする。高効率ワイヤレス（ＨＥＷ）局、（８０２．１１ａｘなどの）８０２．１１高効率プロトコルを利用する局、および（８０２．１１ｂなどの）より古いまたはレガシー８０２．１１プロトコルを使用する局の両方は、ワイヤレス媒体にアクセスする際に、互いに競合または協調することがある。いくつかの実施形態では、本明細書で説明する高効率８０２．１１プロトコルは、ＨＥＷおよびレガシー局が、（トーンマップと呼ばれることもある）様々なＯＦＤＭトーンプランに従って相互動作することを可能にすることができる。いくつかの実施形態では、ＨＥＷ局は、より効率的な様式でワイヤレス媒体にアクセスすることができる。したがって、集合住宅または人口密度の高い公共空間の場合、高効率８０２．１１プロトコルを使用するＡＰおよび／またはＳＴＡは、アクティブなワイヤレスデバイスの数が増加するときでも、レイテンシの低減およびネットワークスループットの増加を経験し、それにより、ユーザエクスペリエンスを改善することができる。
【００６２】
[0082]いくつかの実施形態では、ＡＰ１０４は、ＨＥＷ  ＳＴＡのための様々なＤＬトーンプランに従ってワイヤレス媒体上で送信することができる。たとえば、図１に関して、ＳＴＡ１０６Ａ〜１０６ＤはＨＥＷ  ＳＴＡであり得る。いくつかの実施形態では、ＨＥＷ  ＳＴＡは、レガシーＳＴＡのシンボル持続時間の４倍のシンボル持続時間を使用して通信することができる。したがって、送信される各シンボルは、持続時間が４倍長いことがある。より長いシンボル持続時間を使用するとき、個々のトーンの各々は、送信されるべき帯域幅の１／４程度のみを必要とし得る。たとえば、様々な実施形態では、１ｘシンボル持続時間は４ｍｓであり得、４ｘシンボル持続時間は１６ｍｓであり得る。ＡＰ１０４は、通信帯域幅に基づいて、１つまたは複数のトーンプランに従ってＨＥＷ  ＳＴＡ１０６Ａ〜１０６Ｄにメッセージを送信することができる。
【００６３】
[0083]図３に、一実施形態による、例示的な２Ｎトーンプラン３００を示す。一実施形態では、トーンプラン３００は、２Ｎ点ＦＦＴを使用して生成された、周波数領域におけるＯＦＤＭトーンに対応する。トーンプラン３００は、−Ｎ〜Ｎ−１でインデックス付けされた２Ｎ個のＯＦＤＭトーンを含む。トーンプラン３００は、ガードトーン３１０の２つのセットと、データ／パイロットトーン３２０の２つのセットと、直流（ＤＣ）トーン３３０のセットとを含む。様々な実施形態では、ガードトーン３１０およびＤＣトーン３３０はヌルであり得る。様々な実施形態では、トーンプラン３００は、別の好適な数のパイロットトーンを含み、および／または他の好適なトーンロケーションにあるパイロットトーンを含む。
【００６４】
[0084]２Ｎトーンプラン３００が図３に示されているが、Ｎの任意の値についての同様のトーンプラン（特に、３２トーンプラン、４８トーンプラン、６４トーンプラン、９６トーンプラン、１２８トーンプラン、１９２トーンプラン、２５６トーンプラン、３２０トーンプラン、３８４トーンプラン、４４８トーンプラン、５１２トーンプラン、７６８トーンプラン、１０２４トーンプラン、１２８０トーンプラン、１５３６トーンプラン、１７９２トーンプラン、および２０４８トーンプランなど）が使用され得る。様々な実施形態では、各トーンプランは、たとえば、５ＭＨｚ、１０ＭＨｚ、２０ＭＨｚ、４０ＭＨｚ、８０ＭＨｚ、および１６０ＭＨｚなどの通信帯域幅に対応することができる。
【００６５】
[0085]いくつかの態様では、送信する際の誤差のあるレベルに基づいて、好適であるトーンプランを指定することが望ましいことがある。たとえば、ＷｉＦｉ（登録商標）のいくつかの実装形態は、＋／−２０ｐｐｍ（parts per million）または（許容範囲を合計すると）合計４０ｐｐｍの送信中心周波数誤差を使用し得る。４ｘシンボル持続時間を用いる５ＭＨｚ送信では、この４０ｐｐｍ誤差要件は、５つのＤＣトーンの使用を必要とし得る。複数のデバイスが同時に送信する場合、要件は、各デバイスの誤差が互いに加法的であり得るので、最高８０ｐｐｍであり得る。したがって、８０ｐｐｍ（＋／−４０ｐｐｍ）シナリオでは、７つのＤＣトーンが必要とされ得る。周波数事前補正および／または１０ｐｐｍなど、より細かいｐｐｍ要件が使用される場合、３つまたは５つのＤＣトーンが、４ｘシンボル持続時間送信のために使用され得る。したがって、使用されるＤＣトーンの数は、送信において可能にされるキャリア周波数オフセットのレベルに少なくとも部分的に基づき得る。
【００６６】
[0086]さらに、有用であるために、トーンプランはまた、あるＢＣＣ（バイナリ畳み込みコード）インターリービング、ＬＤＰＣ（低密度パリティチェック）トーンマッピング距離設計を満たし、ならびにいくつかの異なる可能な変調およびコーディング方式（ＭＣＳ）に有効である必要があり得る。概して、トーンプランを選定する際に、最小数のＤＣ、ガード、およびパイロットトーンをもつデータトーン数（Ｎｄａｔａ）の上限を最初に取得することが有益であり得る。次に、上限といくつかの他の基準とを条件とする、実現可能なデータトーン数（Ｎｄａｔａ）を決定することが有用であり得る。最初に、Ｎｄａｔａの約数（divisors）が、ＢＣＣインターリービング深度ＮCOLのために使用され得る。次に、Ｎｄａｔａの約数はＬＤＰＣトーンマッピング距離ＤTMとして使用されることもあり、それらは既存のトーンプランのためのものの間にある。最終的に、ＭＣＳの除外組合せの数、およびデータストリームの数が比較的小さく保たれることは有益であり得る。概して、このトーンマッピングの後に残りのトーンがある場合、それらは、余分のＤＣ、ガード、またはパイロットトーンとして使用され得る。
【００６７】
[0087]図４に、様々な実施形態による、６４トーンプラン、１２８トーンプラン、２５６トーンプラン、５１２トーンプラン、および１０２４トーンプランについての上限を示す。特に、図４は、使用される帯域幅による、１つ、３つ、５つ、７つ、または１１個のＤＣトーンを有する実施形態における６４トーンプラン、１２８トーンプラン、２５６トーンプラン、５１２トーンプラン、および１０２４トーンプランのためのデータトーン数（Ｎｄａｔａ）に対する上限を示す。これらの上限はまた、可能なガードトーンおよびパイロットトーンの最小数を使用する。たとえば、ＦＦＴサイズが６４であり、１つのＤＣトーン、７つのガードトーン、および４つのパイロットトーンがある場合、これは、データトーンとして使用され得る５２個の他のトーンを残す。
【００６８】
[0088]図５に、様々な実施形態による、６４トーンプランを示す。様々な実施形態では、６４トーンプランは、３８個のデータトーンと、（１つのＤＣトーンをもつ実施形態では）多くとも１８個のパイロットトーンと、（５つのＤＣトーンをもつ実施形態では）多くとも１４個のパイロットトーンと、（７つのＤＣトーンをもつ実施形態では）多くとも１２個のパイロットトーンと、４８個のデータトーンに対して−２０．８３％の利得と、５２個のデータトーンに対して−２６．９２％の利得とを含む。図示のように、３８個から４８個までの実現可能なデータトーン数の各々が、（より少数のトーンがあるので）５２個のデータトーンに対して負の利得を取得し、（４８個のデータトーンを除いて）４８個のデータトーンに対して負の利得を取得することになる。様々な実施形態では、６４トーンプランは、４０個のデータトーンと、（１つのＤＣトーンをもつ実施形態では）多くとも１６個のパイロットトーンと、（５つのＤＣトーンをもつ実施形態では）多くとも１２個のパイロットトーンと、（７つのＤＣトーンをもつ実施形態では）多くとも１０個のパイロットトーンと、４８個のデータトーンに対して−１６．６７％の利得と、５２個のデータトーンに対して−２３．０８％の利得とを含む。様々な実施形態では、６４トーンプランは、４２個のデータトーンと、（１つのＤＣトーンをもつ実施形態では）多くとも１４個のパイロットトーンと、（５つのＤＣトーンをもつ実施形態では）多くとも１０個のパイロットトーンと、（７つのＤＣトーンをもつ実施形態では）多くとも８つのパイロットトーンと、４８個のデータトーンに対して−１２．５％の利得と、５２個のデータトーンに対して−１９．２３％の利得とを含む。様々な実施形態では、６４トーンプランは、４４個のデータトーンと、（１つのＤＣトーンをもつ実施形態では）多くとも１２個のパイロットトーンと、（５つのＤＣトーンをもつ実施形態では）多くとも８つのパイロットトーンと、（７つのＤＣトーンをもつ実施形態では）多くとも６つのパイロットトーンと、４８個のデータトーンに対して−８．３３％の利得と、５２個のデータトーンに対して−１５．３８％の利得とを含む。様々な実施形態では、６４トーンプランは、４６個のデータトーンと、（１つのＤＣトーンをもつ実施形態では）多くとも１０個のパイロットトーンと、（５つのＤＣトーンをもつ実施形態では）多くとも６つのパイロットトーンと、（７つのＤＣトーンをもつ実施形態では）多くとも４つのパイロットトーンと、４８個のデータトーンに対して−４．１７％の利得と、５２個のデータトーンに対して−１１．５４％の利得とを含む。様々な実施形態では、６４トーンプランは、４８個のデータトーンと、（１つのＤＣトーンをもつ実施形態では）多くとも８つのパイロットトーンと、（５つのＤＣトーンをもつ実施形態では）多くとも４つのパイロットトーンと、４８個のデータトーンに対して０％の利得と、５２個のデータトーンに対して−７．６９％の利得とを含む。図示のように、４８個のデータトーンは、７つのＤＣトーンがある場合、必要とされる数のパイロットトーンを供給するために十分なトーンが残っていないことがあるので、使用され得ない。
【００６９】
[0089]一例では、４８個のデータトーンと４つのパイロットトーンとが、１つの５２トーンリソースユニット（ＲＵ）を形成することができ、いくつかの実施形態では、それは、個々の１つの宛先デバイスに割り振られるトーンの別個のセットのための別の用語であり得る。したがって、各ＲＵは、帯域幅全体がそれに従って割り当てられる基本ユニットである。さらに、各ＯＦＤＭＡユーザは、複数のＲＵの割振りを割り当てられ得る。たとえば、９６個のデータトーンは、２４個のデータトーンを有する４つのセットＲＵとして、２４個のデータトーンを有す２つのＲＵ＋４８個のデータトーンを有する１つのＲＵとして、または４８個のデータトーンを有する２つのＲＵとして割り振られ得る。別の例として、２１６個のデータトーンは、２４個のデータトーンを有する９つのＲＵとして、２４個のデータトーンを有する７つのＲＵ＋４８個のデータトーンを有する１つのＲＵとして、２４個のデータトーンを有する５つのＲＵ＋４８個のデータトーンを有する２つのＲＵとして、２４個のデータトーンを有する３つのＲＵ＋４８個のデータトーンを有する３つのＲＵとして、または２４個のデータトーンを有する１つのＲＵ＋４８個のデータトーンを有する４つのＲＵとして割り振られ得る。
【００７０】
[0090]図６に、様々な実施形態による、１２８トーンプランを示す。様々な実施形態では、１２８トーンプランは、９６個のデータトーンと、（３つのＤＣトーンをもつ実施形態では）多くとも１８個のパイロットトーンと、（５つのＤＣトーンをもつ実施形態では）多くとも１６個のパイロットトーンと、（７つのＤＣトーンをもつ実施形態では）多くとも１４個のパイロットトーンと、１０８個のデータトーンをもつトーンプランに対して−１１．１１％の利得とを含む。様々な実施形態では、１２８トーンプランは、９８個のデータトーンと、（３つのＤＣトーンをもつ実施形態では）多くとも１６個のパイロットトーンと、（５つのＤＣトーンをもつ実施形態では）多くとも１４個のパイロットトーンと、（７つのＤＣトーンをもつ実施形態では）多くとも１２個のパイロットトーンと、１０８個のデータトーンをもつトーンプランに対して−９．２６％の利得とを含む。様々な実施形態では、１２８トーンプランは、１００個のデータトーンと、（３つのＤＣトーンをもつ実施形態では）多くとも１４個のパイロットトーンと、（５つのＤＣトーンをもつ実施形態では）多くとも１２個のパイロットトーンと、（７つのＤＣトーンをもつ実施形態では）多くとも１０個のパイロットトーンと、１０８個のデータトーンをもつトーンプランに対して−７．４１％の利得とを含む。様々な実施形態では、１２８トーンプランは、１０２個のデータトーンと、（３つのＤＣトーンをもつ実施形態では）多くとも１２個のパイロットトーンと、（５つのＤＣトーンをもつ実施形態では）多くとも１０個のパイロットトーンと、（７つのＤＣトーンをもつ実施形態では）多くとも８個のパイロットトーンと、１０８個のデータトーンをもつトーンプランに対して−５．５６％の利得とを含む。様々な実施形態では、１２８トーンプランは、１０４個のデータトーンと、（３つのＤＣトーンをもつ実施形態では）多くとも１０個のパイロットトーンと、（５つのＤＣトーンをもつ実施形態では）多くとも８つのパイロットトーンと、（７つのＤＣトーンをもつ実施形態では）多くとも６つのパイロットトーンと、１０８個のデータトーンをもつトーンプランに対して−３．７％の利得とを含む。様々な実施形態では、１２８トーンプランは、１０６個のデータトーンと、（３つのＤＣトーンをもつ実施形態では）多くとも８つのパイロットトーンと、（５つのＤＣトーンをもつ実施形態では）多くとも６つのパイロットトーンと、１０８個のデータトーンをもつトーンプランに対して−１．８５％の利得とを含む。図示のように、１０６個のデータトーンは、７つのＤＣトーンがある場合、必要とされる数のパイロットトーンを供給するために十分なトーンが残っていないことがあるので、使用され得ない。
【００７１】
[0091]一例では、１０２個のデータトーンおよび４つのパイロットトーンが、１つの１０６トーンＲＵを形成することができる。上記で説明したように、各ＯＦＤＭＡユーザは、複数のＲＵの割振りを割り当てられ得る。たとえば、２２２個のデータトーンは、１０２個のデータトーンを有す１つのＲＵ＋２４個のデータトーンを有する５つのＲＵとして、１０２個のデータトーンを有する１つのＲＵ＋４８個のデータトーンを有する１つのＲＵ＋２４個のデータトーンを有する３つのＲＵとして、または１０２個のデータトーンを有する１つのＲＵ＋４８個のデータトーンを有する２つのＲＵ＋２４個のデータトーンを有する１つのＲＵとして割り振られ得る。別の例として、２２８個のデータトーンは、１０２個のデータトーンを有する２つのＲＵ＋２４個のデータトーンを有する１つのＲＵとして割り振られ得る。
【００７２】
[0092]図６に、様々な実施形態による、２５６トーンプランを示す。様々な実施形態では、２５６トーンプランは、２１６個のデータトーンと、（３つのＤＣトーンをもつ実施形態では）多くとも２６個のパイロットトーンと、（５つのＤＣトーンをもつ実施形態では）多くとも２４個のパイロットトーンと、（７つのＤＣトーンをもつ実施形態では）多くとも２２個のパイロットトーンと、２３４個のデータトーンをもつトーンプランに対して−７．６９％の利得とを含む。様々な実施形態では、２５６トーンプランは、２１８個のデータトーンと、（３つのＤＣトーンをもつ実施形態では）多くとも２４個のパイロットトーンと、（５つのＤＣトーンをもつ実施形態では）多くとも２２個のパイロットトーンと、（７つのＤＣトーンをもつ実施形態では）多くとも２０個のパイロットトーンと、２３４個のデータトーンをもつトーンプランに対して−６．８４％の利得とを含む。様々な実施形態では、２５６トーンプランは、２２０個のデータトーンと、（３つのＤＣトーンをもつ実施形態では）多くとも２２個のパイロットトーンと、（５つのＤＣトーンをもつ実施形態では）多くとも２０個のパイロットトーンと、（７つのＤＣトーンをもつ実施形態では）多くとも１８個のパイロットトーンと、２３４個のデータトーンをもつトーンプランに対して−５．９８％の利得とを含む。様々な実施形態では、２５６トーンプランは、２２２個のデータトーンと、（３つのＤＣトーンをもつ実施形態では）多くとも２０個のパイロットトーンと、（５つのＤＣトーンをもつ実施形態では）多くとも１８個のパイロットトーンと、（７つのＤＣトーンをもつ実施形態では）多くとも１６個のパイロットトーンと、２３４個のデータトーンをもつトーンプランに対して−５．１３％の利得とを含む。様々な実施形態では、２５６トーンプランは、２２４個のデータトーンと、（３つのＤＣトーンをもつ実施形態では）多くとも１８個のパイロットトーンと、（５つのＤＣトーンをもつ実施形態では）多くとも１６個のパイロットトーンと、（７つのＤＣトーンをもつ実施形態では）多くとも１４個のパイロットトーンと、２３４個のデータトーンをもつトーンプランに対して−４．２７％の利得とを含む。様々な実施形態では、２５６トーンプランは、２２５個のデータトーンと、（３つのＤＣトーンをもつ実施形態では）多くとも１７個のパイロットトーンと、（５つのＤＣトーンをもつ実施形態では）多くとも１５個のパイロットトーンと、（７つのＤＣトーンをもつ実施形態では）多くとも１３個のパイロットトーンと、２３４個のデータトーンをもつトーンプランに対して−３．８５％の利得とを含む。様々な実施形態では、２５６トーンプランは、２２６個のデータトーンと、（３つのＤＣトーンをもつ実施形態では）多くとも１６個のパイロットトーンと、（５つのＤＣトーンをもつ実施形態では）多くとも１４個のパイロットトーンと、（７つのＤＣトーンをもつ実施形態では）多くとも１２個のパイロットトーンと、２３４個のデータトーンをもつトーンプランに対して−３．４２％の利得とを含む。様々な実施形態では、２５６トーンプランは、２２８個のデータトーンと、（３つのＤＣトーンをもつ実施形態では）多くとも１４個のパイロットトーンと、（５つのＤＣトーンをもつ実施形態では）多くとも１２個のパイロットトーンと、（７つのＤＣトーンをもつ実施形態では）多くとも１０個のパイロットトーンと、２３４個のデータトーンをもつトーンプランに対して−２．５６％の利得とを含む。様々な実施形態では、２５６トーンプランは、２３０個のデータトーンと、（３つのＤＣトーンをもつ実施形態では）多くとも１２個のパイロットトーンと、（５つのＤＣトーンをもつ実施形態では）多くとも１０個のパイロットトーンと、（７つのＤＣトーンをもつ実施形態では）多くとも８個のパイロットトーンと、２３４個のデータトーンをもつトーンプランに対して−１．７１％の利得とを含む。様々な実施形態では、２５６トーンプランは、２３２個のデータトーンと、（３つのＤＣトーンをもつ実施形態では）多くとも１０個のパイロットトーンと、（５つのＤＣトーンをもつ実施形態では）多くとも８つのパイロットトーンと、２３４個のデータトーンをもつトーンプランに対して−０．８５％の利得とを含む。図示のように、２３２個のデータトーンは、７つのＤＣトーンがある場合、必要とされる数のパイロットトーンを供給するために十分なトーンが残っていないことがあるので、使用され得ない。
【００７３】
[0093]図８に、様々な実施形態による、５１２トーンプランを示す。様々な実施形態では、５１２トーンプランは、４７４個のデータトーンと、（５つのＤＣトーンをもつ実施形態では）多くとも２２個のパイロットトーンと、（１１個のＤＣトーンをもつ実施形態では）多くとも１６個のパイロットトーンと、４６８個のデータトーンをもつトーンプランに対して１．２８％の利得とを含む。様々な実施形態では、５１２トーンプランは、４７６個のデータトーンと、（５つのＤＣトーンをもつ実施形態では）多くとも２０個のパイロットトーンと、（１１個のＤＣトーンをもつ実施形態では）多くとも１４個のパイロットトーンと、４６８個のデータトーンをもつトーンプランに対して１．７１％の利得とを含む。様々な実施形態では、５１２トーンプランは、４８０個のデータトーンと、（５つのＤＣトーンをもつ実施形態では）多くとも１６個のパイロットトーンと、４６８個のデータトーンをもつトーンプランに対して２．５６％の利得とを含む。図示のように、４８０個のデータトーンは、１１個のＤＣトーンがある場合、必要とされる数のパイロットトーンを供給するために十分なトーンが残っていないことがあるので、使用され得ない。
【００７４】
[0094]図９に、様々な実施形態による、１０２４トーンプランを示す。様々な実施形態では、１０２４トーンプランは、９４８個のデータトーンと、（５つのＤＣトーンをもつ実施形態では）多くとも６０個のパイロットトーンと、（１１個のＤＣトーンをもつ実施形態では）多くとも５４個のパイロットトーンと、９３６個のデータトーンをもつトーンプランに対して１．２８％の利得とを含む。９３６個のデータトーンとの、この比較トーンプランは、４つの２５６トーンプランを複製することに基づくトーンプランを使用することに基づくことに留意されたい。様々な実施形態では、１０２４トーンプランは、９６０個のデータトーンと、（５つのＤＣトーンをもつ実施形態では）多くとも４８個のパイロットトーンと、（１１個のＤＣトーンをもつ実施形態では）多くとも４２個のパイロットトーンと、９３６個のデータトーンをもつトーンプランに対して２．５６％の利得とを含む。様々な実施形態では、１０２４トーンプランは、９７２個のデータトーンと、（５つのＤＣトーンをもつ実施形態では）多くとも３６個のパイロットトーンと、（１１個のＤＣトーンをもつ実施形態では）多くとも３０個のパイロットトーンと、９３６個のデータトーンをもつトーンプランに対して４．０６％の利得とを含む。様々な実施形態では、１０２４トーンプランは、９８０個のデータトーンと、（５つのＤＣトーンをもつ実施形態では）多くとも２８個のパイロットトーンと、（１１個のＤＣトーンをもつ実施形態では）多くとも２２個のパイロットトーンと、９３６個のデータトーンをもつトーンプランに対して４．７０％の利得とを含む。様々な実施形態では、１０２４トーンプランは、９８４個のデータトーンと、（５つのＤＣトーンをもつ実施形態では）多くとも２４個のパイロットトーンと、（１１個のＤＣトーンをもつ実施形態では）多くとも１８個のパイロットトーンと、９３６個のデータトーンをもつトーンプランに対して５．１３％の利得とを含む。様々な実施形態では、１０２４トーンプランは、９９０個のデータトーンと、（５つのＤＣトーンをもつ実施形態では）多くとも１８個のパイロットトーンと、（１１個のＤＣトーンをもつ実施形態では）多くとも１２個のパイロットトーンと、９３６個のデータトーンをもつトーンプランに対して５．７７％の利得とを含む。様々な実施形態では、１０２４トーンプランは、９９６個のデータトーンと、（５つのＤＣトーンをもつ実施形態では）多くとも１２個のパイロットトーンと、９３６個のデータトーンをもつトーンプランに対して６．４１％の利得とを含む。図示のように、９９６個のデータトーンは、１１個のＤＣトーンがある場合、必要とされる数のパイロットトーンを供給するために十分なトーンが残っていないことがあるので、使用され得ない。
【００７５】
[0095]図１０に、一実施形態による、直交周波数分割多元接続（ＯＦＤＭＡ）トーンプランのためのインターリービングパラメータを生成するように動作可能であるシステム１０００を示す。システム１０００は、ワイヤレスネットワーク１０５０を介して複数の他のデバイス（たとえば、宛先デバイス）１０２０、１０３０、および１０４０とワイヤレス通信するように構成された第１のデバイス（たとえば、ソースデバイス）１０１０を含む。代替実施形態では、異なる数のソースデバイス宛先デバイスが、システム１０００中に存在し得る。様々な実施形態では、ソースデバイス１０１０はＡＰ１０４（図１）を含むことができ、他のデバイス１０２０、１０３０、および１０４０はＳＴＡ１０６（図１）を含むことができる。システム１０００はシステム１００（図１）を含むことができる。様々な実施形態では、デバイス１０１０、１０２０、１０３０、および１０４０のいずれも、ワイヤレスデバイス２０２（図２）を含むことができる。
【００７６】
[0096]特定の実施形態では、ワイヤレスネットワーク１０５０は、米国電気電子技術者協会（ＩＥＥＥ）８０２．１１ワイヤレスネットワーク（たとえば、Ｗｉ−Ｆｉネットワーク）である。たとえば、ワイヤレスネットワーク１０５０は、ＩＥＥＥ８０２．１１規格に従って動作することができる。特定の実施形態では、ワイヤレスネットワーク１０５０は多元接続通信をサポートする。たとえば、ワイヤレスネットワーク１０５０は、宛先デバイス１０２０、１０３０、および１０４０の各々への単一のパケット１０６０の通信をサポートすることができ、ここで、単一のパケット１０６０は、宛先デバイスの各々に向けられた個々のデータ部分を含む。一例では、パケット１０６０は、本明細書でさらに説明するように、ＯＦＤＭＡパケットであり得る。
【００７７】
[0097]ソースデバイス１０１０は、（１つまたは複数の）多元接続パケットを生成し、複数の宛先デバイスに送信するように構成されたアクセスポイント（ＡＰ）または他のデバイスであり得る。特定の実施形態では、ソースデバイス１０１０は、プロセッサ１０１１（たとえば、中央処理ユニット（ＣＰＵ）、デジタル信号プロセッサ（ＤＳＰ）、ネットワーク処理ユニット（ＮＰＵ）など）と、メモリ１０１２（たとえば、ランダムアクセスメモリ（ＲＡＭ）、読取り専用メモリ（ＲＯＭ）など）と、ワイヤレスネットワーク１０５０を介してデータを送信および受信するように構成されたワイヤレスインターフェース１０１５とを含む。メモリ１０１２は、図１１のインターリービングシステム１０１４に関して説明する技法に従ってデータをインターリーブするために、インターリービングシステム１０１４によって使用されるバイナリ畳み込みコード（ＢＣＣ）インターリービングパラメータ１０１３を記憶することができる。
【００７８】
[0098]本明細書で使用する「トーン」は、データがその内で通信され得る周波数または周波数のセット（たとえば、周波数範囲）を表すことができる。トーンは、代替的にサブキャリアと呼ばれることがある。したがって、「トーン」は周波数領域ユニットであり得、パケットは複数のトーンにわたることができる。トーンとは対照的に、「シンボル」は時間領域ユニットであり得、パケットは複数のシンボルにわたる（たとえば、複数のシンボルを含む）ことができ、各シンボルは特定の持続時間を有する。したがって、ワイヤレスパケットは、周波数範囲（たとえば、トーン）と時間期間（たとえば、シンボル）とにわたる２次元構造として視覚化され得る。
【００７９】
[0099]一例として、ワイヤレスデバイスは、８０メガヘルツ（ＭＨｚ）ワイヤレスチャネル（たとえば、８０ＭＨｚ帯域幅を有するチャネル）を介してパケットを受信することができる。ワイヤレスデバイスは、パケット中の５１２個のトーンを決定するために５１２点高速フーリエ変換（ＦＦＴ）を実施することができる。トーンのサブセットが「使用可能」と考えられ得、残りのトーンは「使用不可能」と考えられ得る（たとえば、ガードトーン、直流（ＤＣ）トーンなどであり得る）。例示のために、４７４個のデータトーンと２２個のパイロットトーンとを含む、５１２個のトーンのうちの４９６個が使用可能であり得る。別の例として、４７６個のデータトーンおよび２０個のパイロットトーンがあり得る。上述のチャネル帯域幅、変換、およびトーンプランは例にすぎないことに留意されたい。代替実施形態では、異なるチャネル帯域幅（たとえば、５ＭＨｚ、６ＭＨｚ、６．５ＭＨｚ、４０ＭＨｚ、８０ＭＨｚなど）、異なる変換（たとえば、２５６点ＦＦＴ、１０２４点ＦＦＴなど）、および／または異なるトーンプランが使用され得る。
【００８０】
[00100]特定の実施形態では、パケットは、１つまたは複数の空間ストリーム上で送信される様々なブロックサイズ（たとえば、サブバンドごとに様々なデータトーン数）を含むことができる。たとえば、パケットは、サブバンドごとに１２個のデータトーン、サブバンドごとに３６個のデータトーン、サブバンドごとに７２個のデータトーン、サブバンドごとに１２０個のデータトーン、サブバンドごとに１５６個のデータトーン、またはサブバンドごとに３１２個のデータトーンを含むことができる。インターリーブ深度と、インターリーブ回転インデックスと、ベースサブキャリア回転との組合せが、ブロックサイズごとに与えられ得る。
【００８１】
[00101]特定の実施形態では、インターリービングパラメータ１０１３は、パケット１０６０のどのデータトーンが個々の宛先デバイスに割り当てられるかを決定するために、多元接続パケット１０６０の生成中にインターリービングシステム１０１４によって使用され得る。たとえば、パケット１０６０は、各個々の宛先デバイス１０２０、１０３０、および１０４０に（たとえば、１つまたは複数のリソースユニットとして）割り振られたトーンの別個のセットを含むことができる。例示のために、パケット１０６０はインターリーブされたトーン割振りを利用することができる。
【００８２】
[00102]宛先デバイス１０２０、１０３０、および１０４０はそれぞれ、プロセッサ（たとえば、プロセッサ１０２１）と、メモリ（たとえば、メモリ１０２２）と、ワイヤレスインターフェース（たとえば、ワイヤレスインターフェース１０２５）とを含むことができる。宛先デバイス１０２０、１０３０、および１０４０はそれぞれ、図１１のＭＩＭＯ検出器１１１８に関して説明するように、パケット（たとえば、単一接続パケットまたは多元接続パケット）をデインターリーブするように構成されたデインターリービングシステム１０２４をも含むことができる。一例では、メモリ１０２２は、インターリービングパラメータ１０１３と同等のインターリービングパラメータ１０２３を記憶することができる。
【００８３】
[00103]動作中、ソースデバイス１０１０は、パケット１０６０を生成し、それをワイヤレスネットワーク１０５０を介して宛先デバイス１０２０、１０３０、および１０４０の各々に送信することができる。パケット１０６０は、インターリーブされたパターンに従って各個々の宛先デバイスに割り振られたデータトーンの別個のセットを含むことができる。
【００８４】
[00104]したがって、図１０のシステム１０００は、ＩＥＥＥ８０２．１１ワイヤレスネットワーク上で通信するために、ソースデバイスおよび宛先デバイスが使用するためのＯＦＤＭＡデータトーンインターリービングパラメータを供給することができる。たとえば、インターリービングパラメータ１０１３、１０２３（またはそれの部分）は、図示のように、ソースデバイスおよび宛先デバイスのメモリに記憶され得る、ワイヤレス規格（たとえば、ＩＥＥＥ８０２．１１規格）によって規格化され得る、などである。本明細書で説明する様々なデータトーンプランはダウンリンク（ＤＬ）ＯＦＤＭＡ通信ならびにアップリンク（ＵＬ）ＯＦＤＭＡ通信の両方のために適用可能であり得ることに留意されたい。
【００８５】
[00105]たとえば、ソースデバイス１０１０（たとえば、アクセスポイント）はワイヤレスネットワーク１０５０を介して（１つまたは複数の）信号を受信することができる。（１つまたは複数の）信号はアップリンクパケットに対応することができる。パケット中で、トーンの別個のセットが、宛先デバイス（たとえば、移動局）１０２０、１０３０、および１０４０の各々に割り振られ、その宛先デバイスによって送信されたアップリンクデータを搬送することができる。
【００８６】
[00106]図１１に、ワイヤレス通信を送信および受信するために、図１０のワイヤレスデバイスなど、ワイヤレスデバイスにおいて実装され得る例示的な多入力多出力（ＭＩＭＯ）システム１１００を示す。システム１１００は、図１０の第１のデバイス１０１０と図１０の宛先デバイス１０２０とを含む。
【００８７】
[00107]第１のデバイス１０１０は、エンコーダ１１０４と、インターリービングシステム１０１４と、複数の変調器１１０２ａ〜１１０２ｃと、複数の送信（ＴＸ）回路１１１０ａ〜１１１０ｃと、複数のアンテナ１１１２ａ〜１１１２ｃとを含む。宛先デバイス１０２０は、複数のアンテナ１１１４ａ〜１１１４ｃと、複数の受信（ＲＸ）回路１１１６ａ〜１１１６ｃと、ＭＩＭＯ検出器１１１８と、デコーダ１１２０とを含む。
【００８８】
[00108]ビットシーケンスがエンコーダ１１０４に供給され得る。エンコーダ１１０４は、ビットシーケンスを符号化するように構成され得る。たとえば、エンコーダ１１０４は、ビットシーケンスに前方誤り訂正（ＦＥＣ）コードを適用するように構成され得る。ＦＥＣコードは、ブロックコード、畳み込みコード（たとえば、バイナリ畳み込みコード）などであり得る。符号化ビットシーケンスはインターリービングシステム１０１４に供給され得る。
【００８９】
[00109]インターリービングシステム１０１４は、ストリームパーサ１１０６と複数の空間ストリームインターリーバ１１０８ａ〜１１０８ｃとを含むことができる。ストリームパーサ１１０６は、エンコーダ１１０４から複数の空間ストリームインターリーバ１１０８ａ〜１１０８ｃへの符号化ビットストリームをパースするように構成され得る。
【００９０】
[00110]各インターリーバ１１０８ａ〜１１０８ｃは、周波数インターリービングを実施するように構成され得る。たとえば、ストリームパーサ１１０６は、メッセージを送信するために使用される各空間ストリームについてシンボルごとにコード化ビットのブロックを出力することができる。各ブロックは、行（row）に書き込み、列（column）を読み出す、対応するインターリーバ１１０８ａ〜１１０８ｃによってインターリーブされ得る。列数（Ｎｃｏｌ）またはインターリーバ深度は、データトーン数（Ｎｄａｔａ）に基づき得る。行数（Ｎｒｏｗ）は、列数（Ｎｃｏｌ）およびデータトーン数（Ｎｄａｔａ）の関数であり得る。たとえば、行数（Ｎｒｏｗ）は、列数（Ｎｃｏｌ）で除算されたデータトーン数（Ｎｄａｔａ）に等しくなり得る（たとえば、Ｎｒｏｗ＝Ｎｄａｔａ／Ｎｃｏｌ）。
【００９１】
[00111]図１２は、６４トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数（factor）であり得る。様々な実施形態では、３８データトーンブロックは、２または１９のインターリーバ深度を有することができる。様々な実施形態では、４０データトーンブロックは、２、４、５、８、１０、または２０インターリーバ深度を有することができる。様々な実施形態では、４２データトーンブロックは、２、３、６、７、１４、または２１のインターリーバ深度を有することができる。様々な実施形態では、４４データトーンブロックは、２、４、１１、または２２のインターリーバ深度を有することができる。様々な実施形態では、４６データトーンブロックは、２または２３のインターリーバ深度を有することができる。様々な実施形態では、４８データトーンブロックは、２、３、４、６、８、１２、１６、または２４のインターリーバ深度を有することができる。
【００９２】
[00112]２つ以上の空間ストリームがある場合、複数の空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【００９３】
[00113]たとえば、データトーンブロックが４つまたはそれより少ない空間ストリーム（Ｎｓｓ）を有する場合、ベースサブキャリア回転（ＮＲＯＴ）は、１〜１６のいずれかであり得る。回転インデックス（たとえば、図１２の第６の列）は、このシナリオでは［０  ２  １  ３］のビットリバーサル（reversal）であり得る。代替的に、データトーンブロックが４つより多い空間ストリーム（Ｎｓｓ）を有する場合、ベースサブキャリア回転（ＮＲＯＴ）は、１〜１０のいずれかであり得る。回転インデックス（たとえば、図１２の第７の列）は、いくつかの実施形態では［０  ４  ２  ６  １  ５  ３  ７］のビットリバーサルであり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【００９４】
[00114]図１３は、１２８トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数（factor）であり得る。様々な実施形態では、９６データトーンブロックは、２、３、４、６、８、１２、１６、２４、３２、または４８のインターリーバ深度を有することができる。様々な実施形態では、９８データトーンブロックは、２、７、１４、または４９インターリーバ深度を有することができる。様々な実施形態では、１００データトーンブロックは、２、４、５、１０、２０、２５、または５０のインターリーバ深度を有することができる。様々な実施形態では、１０２データトーンブロックは、２、３、６、１７、３４、または５１のインターリーバ深度を有することができる。様々な実施形態では、１０４データトーンブロックは、２、４、８、１３、２６、または５２のインターリーバ深度を有することができる。様々な実施形態では、１０６データトーンブロックは、２または５３のインターリーバ深度を有することができる。
【００９５】
[00115]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【００９６】
[00116]たとえば、データトーンブロックが４つまたはそれ以下の空間ストリーム（Ｎｓｓ）を有する場合、ベースサブキャリア回転（ＮＲＯＴ）は、１、２、３、４、５、６、７、８、９、１０、１１、１２、１３、１４、１５、１６、１７、１８、１９、２０、２１、２２、２３、２４、２５、２６、２７、２８、２９、３０、または３１のいずれかであり得る。回転インデックス（たとえば、図１３の第６の列）は、このシナリオでは［０  ２  １  ３］のビットリバーサルであり得る。代替的に、データトーンブロックが５４より多い空間ストリーム（Ｎｓｓ）を有する場合、ベースサブキャリア回転（ＮＲＯＴ）は、１、２、３、４、５、６、７、８、９、１０、１１、１２、１３、１４、１５、１６、１７、または１８のいずれかであり得る。回転インデックス（たとえば、図１３の第７の列）は、いくつかの実施形態では［０  ４  ２  ６  １  ５  ３  ７］のビットリバーサルであり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【００９７】
[00117]図１４は、２５６トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、２１６データトーンブロックは、２、３、４、６、８、９、１２、１８、２４、２７、３６、５４、７２、または１０８のインターリーバ深度を有することができる。様々な実施形態では、２１８データトーンブロックは、２または１０９インターリーバ深度を有することができる。様々な実施形態では、２２０データトーンブロックは、２、４、５、１０、１１、２０、２２、４４、５５、または１１０のインターリーバ深度を有することができる。様々な実施形態では、２２２データトーンブロックは、２、３、６、３７、７４、または１１１のインターリーバ深度を有することができる。様々な実施形態では、２２４データトーンブロックは、２、４、７、８、１４、１６、２８、３２、５６、または１１２のインターリーバ深度を有することができる。様々な実施形態では、２２５データトーンブロックは、３、５、９、１５、２５、４５、または７５のインターリーバ深度を有することができる。様々な実施形態では、２２６データトーンブロックは、２または１１３のインターリーバ深度を有することができる。様々な実施形態では、２２８データトーンブロックは、２、３、４、６、１２、１９、３８、５７、７６、または１１４のインターリーバ深度を有することができる。様々な実施形態では、２３０データトーンブロックは、２、５、１０、２３、４６、または１１５のインターリーバ深度を有することができる。様々な実施形態では、２３２データトーンブロックは、２、４、８、２９、５８、または１１６のインターリーバ深度を有することができる。
【００９８】
[00118]２つ以上の空間ストリームがある場合、複数の空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【００９９】
[00119]たとえば、データトーンブロックが４つまたはそれ以下の空間ストリーム（Ｎｓｓ）を有する場合、ベースサブキャリア回転（ＮＲＯＴ）は、５０、５１、５２、５３、５４、５５、５６、５７、５８、５９、６０、６１、または６２のいずれかであり得る。回転インデックス（たとえば、図１４の第６の列）は、このシナリオでは［０  ２  １  ３］のビットリバーサルであり得る。代替的に、データトーンブロックが４より多い空間ストリーム（Ｎｓｓ）を有する場合、ベースサブキャリア回転（ＮＲＯＴ）は、１、２、３、４、５、６、７、８、９、１０、１１、１２、１３、１４、１５、１６、１７、１８、１９、２０、２１、２２、２３、２４、２５、２６、２７、２８、２９、３０、３１、３２、または３３のいずれかであり得る。回転インデックス（たとえば、図１４の第７の列）は、いくつかの実施形態では［０  ４  ２  ６  １  ５  ３  ７］のビットリバーサルであり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【０１００】
[00120]図１５は、５１２トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、４７４データトーンブロックは、２、３、６、７９、１５８、または２３７のインターリーバ深度を有することができる。様々な実施形態では、４７６データトーンブロックは、２、４、７、１４、１７、２８、３４、６８、１１９、または２３８のインターリーバ深度を有することができる。様々な実施形態では、４８０データトーンブロックは、２、３、４、５、６、８、１０、１２、１５、１６、２０、２４、３０、３２、４０、４８、６０、８０、９６、１２０、１６０、または２４０のインターリーバ深度を有することができる。
【０１０１】
[00121]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１０２】
[00122]たとえば、データトーンブロックが４つまたはそれ以下の空間ストリーム（Ｎｓｓ）を有する場合、ベースサブキャリア回転（ＮＲＯＴ）は、１１３、１１４、１１５、１１６、１１７、１１８、１１９、１２０、１２１、１２２、１２３、１２４、１２５、１２６、または１２７のいずれかであり得る。回転インデックス（たとえば、図１５の第６の列）は、このシナリオでは［０  ２  １  ３］のビットリバーサルであり得る。代替的に、データトーンブロックが４より多い空間ストリーム（Ｎｓｓ）を有する場合、ベースサブキャリア回転（ＮＲＯＴ）は、５４、５５、５６、５７、５８、５９、６０、６１、６２、６３、６４、６５、または６６のいずれかであり得る。回転インデックス（たとえば、図１５の第７の列）は、いくつかの実施形態では［０  ４  ２  ６  １  ５  ３  ７］のビットリバーサルであり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【０１０３】
[00123]図１６は、１０２４トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、９４８データトーンブロックは、２、３、４、６、１２、７９、１５８、２３７、３１６、または４７４のインターリーバ深度を有することができる。様々な実施形態では、９６０データトーンブロックは、２、３、４、５、６、８、１０、１２、１５、１６、２０、２４、３０、３２、４０、４８、６０、６４、８０、９６、１２０、１６０、１９２、２４０、３２０、または４８０のインターリーバ深度を有することができる。様々な実施形態では、９７２データトーンブロックは、２、３、４、６、９、１２、１８、２７、３６、５４、８１、１０８、１６２、２４３、３２４、または４８６のインターリーバ深度を有することができる。様々な実施形態では、９８０データトーンブロックは、２、４、５、７、１０、１４、２０、２８、３５、４９、７０、９８、１４０、１９６、２４５、または４９０のインターリーバ深度を有することができる。様々な実施形態では、９８４データトーンブロックは、２、３、４、６、８、１２、２４、４１、８２、１２３、１６４、２４６、３２８、または４９２のインターリーバ深度を有することができる。様々な実施形態では、９９０データトーンブロックは、２、３、５、６、９、１０、１１、１５、１８、２２、３０、３３、４５、５５、６６、９０、９９、１１０、１６５、１９８、３３０、または４９５のインターリーバ深度を有することができる。様々な実施形態では、９９６データトーンブロックは、２、３、４、６、１２、８３、１６６、２４９、３３２、または４９８のインターリーバ深度を有することができる。
【０１０４】
[00124]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１０５】
[00125]たとえば、データトーンブロックが４つまたはそれ以下の空間ストリーム（Ｎｓｓ）を有する場合、ベースサブキャリア回転（ＮＲＯＴ）は、２３２、２３３、２３４、２３５、２３６、２３７、２３８、２３９、２４０、２４１、２４２、２４３、２４４、２４５、２４６、２４７、２４８、２４９、２５０、２５１、２５２、２５３、または２５４のいずれかであり得る。回転インデックス（たとえば、図１６の第６の列）は、このシナリオでは［０  ２  １  ３］のビットリバーサルであり得る。代替的に、データトーンブロックが４より多い空間ストリーム（Ｎｓｓ）を有する場合、ベースサブキャリア回転（ＮＲＯＴ）は、１１３、１１４、１１５、１１６、１１７、１１８、１１９、１２０、１２１、１２２、１２３、１２４、１２５、１２６、１２７、１２８、１２９、または１３０のいずれかであり得る。回転インデックス（たとえば、図１６の第７の列）は、いくつかの実施形態では［０  ４  ２  ６  １  ５  ３  ７］のビットリバーサルであり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【０１０６】
[00126]再び図１１を参照すると、各インターリーバ１１０８ａ〜１１０８ｃの出力（たとえば、送信ストリーム）は、対応する変調器１１０２ａ〜１１０２ｃに供給され得る。各変調器１１０２ａ〜１１０２ｃは、対応する送信ストリームを変調し、変調された送信ストリームを対応する送信回路１１１０ａ〜１１１０ｃに渡すように構成され得る。特定の実施形態では、ビット（たとえば、送信ストリーム）は、４位相シフトキーイング（ＱＰＳＫ：Quadrature Phase Shift Keying）変調、２位相シフトキーイング（ＢＰＳＫ：Binary Phase Shift Keying）変調、または直交振幅変調（ＱＡＭ：Quadrature Amplitude Modulation）（たとえば、１６ＱＡＭ、６４ＱＡＭ、２５６ＱＡＭ）を使用して変調され得る。送信回路１１１０ａ〜１１１０ｃは、対応するアンテナ１１１２ａ〜１１１２ｃを介してワイヤレスネットワーク（たとえば、ＩＥＥＥ８０２．１１ワイヤレスネットワーク）上で変調された送信ストリームを送信するように構成され得る。
【０１０７】
[00127]特定の実施形態では、アンテナ１１１２ａ〜１１１２ｃは、別個であり、空間的に分離したアンテナである。別の実施形態では、別個の信号が、異なる偏波に合成され、アンテナ１１１２〜１１１２ｃのサブセットを介して送信され得る。たとえば、別個の信号が合成され得、ここで、空間回転または空間拡散が実施され、複数の空間ストリームが単一のアンテナにマッピングされる。
【０１０８】
[00128]宛先デバイス１０２９の受信回路１１１６ａ〜１１１６ｃは、対応するアンテナ１１１４ａ〜１１１４ｃを介してインターリーブされた符号化ビットを受信することができる。受信回路１１１６ａ〜１１１６ｃの出力はＭＩＭＯ検出器１１１８に供給され、ＭＩＭＯ検出器１１１８の出力はデコーダ１１２０に供給される。特定の実施形態では、ＭＩＭＯ検出器１１１８は、インターリービングシステム１０１４の逆の動作を実施するように構成されたデインターリービングシステムを含むことができる。デコーダ１１２０は、回復不能なエラーがなければ、エンコーダ１１０４に供給された送信されたビットと同じである受信されたビットを出力することができる。
【０１０９】
[00129]図１７は、様々なデータトーン数（Ｎｄａｔａ）のための例示的な低密度パリティチェック（ＬＤＰＣ）トーンマッピング距離（ＤＴＭ）を示すチャートである。マッピング距離（ＤＴＭ）は、少なくとも、ＬＤＰＣコードワード長（ＬＣＷ）で除算されたＯＦＤＭシンボルごとのコード化ビット数（ＮＣＢＰＳ）と同じ大きさであり得（たとえば、ＮＣＢＰＳ／ＬＣＷ≦ＤＴＭ）、したがって、各ＬＤＰＣコードワードはトーンの全範囲をカバーする。さらに、マッピング距離（ＤＴＭ）はサブキャリア数の整数約数（ＮＳＤ：divisor of the number of subcarriers）であり得る。マッピング距離（ＤＴＭ）は、固定トーン処理をもつ、受信回路１１１６ａ〜１１１６ｃの高速フーリエ変換（ＦＦＴ）モジュールにおいて実装されたトーンデマッパを使用可能にするために、各帯域幅内のレートにわたって一定であり得る。
【０１１０】
[00130]様々な実施形態では、３８データトーンブロックは２または１９のマッピング距離（ＤＴＭ）を有することができる。様々な実施形態では、４０データトーンブロックは、２、４、５、８、１０、または２０のマッピング距離（ＤＴＭ）を有することができる。様々な実施形態では、４２データトーンブロックは、２、３、６、７、１４、または２１のマッピング距離（ＤＴＭ）を有することができる。様々な実施形態では、４４データトーンブロックは、２、４、１１、または２２のマッピング距離（ＤＴＭ）を有することができる。様々な実施形態では、４６データトーンブロックは２または２３のマッピング距離（ＤＴＭ）を有することができる。様々な実施形態では、４８データトーンブロックは、２、３、４、６、８、１２、１６、または２４のマッピング距離（ＤＴＭ）を有することができる。
【０１１１】
[00131]様々な実施形態では、９６データトーンブロックは、２、３、４、６、８、１２、１６、２４、３２、または４８のマッピング距離（ＤＴＭ）を有することができる。様々な実施形態では、９８データトーンブロックは、２、７、１４、または４９のマッピング距離（ＤＴＭ）を有することができる。様々な実施形態では、１００データトーンブロックは、２、４、５、１０、２０、２５、または５０のマッピング距離（ＤＴＭ）を有することができる。様々な実施形態では、１０２データトーンブロックは、２、３、６、１７、３４、または５１のマッピング距離（ＤＴＭ）を有することができる。様々な実施形態では、１０４データトーンブロックは、２、４、８、１３、２６、または５２のマッピング距離（ＤＴＭ）を有することができる。様々な実施形態では、１０６データトーンブロックは２または５３のマッピング距離（ＤＴＭ）を有することができる。
【０１１２】
[00132]様々な実施形態では、２１６データトーンブロックは、２、３、４、６、８、９、１２、１８、２４、２７、３６、５４、７２、または１０８のマッピング距離（ＤＴＭ）を有することができる。様々な実施形態では、２１８データトーンブロックは２または１０９のマッピング距離（ＤＴＭ）を有することができる。様々な実施形態では、２２０データトーンブロックは、２、４、５、１０、１１、２０、２２、４４、５５、または１１０のマッピング距離（ＤＴＭ）を有することができる。様々な実施形態では、２２２データトーンブロックは、２、３、６、３７、７４、または１１１のマッピング距離（ＤＴＭ）を有することができる。様々な実施形態では、２２４データトーンブロックは、２、４、７、８、１４、１６、２８、３２、５６、または１１２のマッピング距離（ＤＴＭ）を有することができる。様々な実施形態では、２２５データトーンブロックは、３、５、９、１５、２５、４５、または７５のマッピング距離（ＤＴＭ）を有することができる。様々な実施形態では、２２６データトーンブロックは２または１１３のマッピング距離（ＤＴＭ）を有することができる。様々な実施形態では、２２８データトーンブロックは、２、３、４、６、１２、１９、３８、５７、７６、または１１４のマッピング距離（ＤＴＭ）を有することができる。様々な実施形態では、２３０データトーンブロックは、２、５、１０、２３、４６、または１１５のマッピング距離（ＤＴＭ）を有することができる。様々な実施形態では、２３２データトーンブロックは、２、４、８、２９、５８、または１１６のマッピング距離（ＤＴＭ）を有することができる。
【０１１３】
[00133]様々な実施形態では、４７４データトーンブロックは、２、３、６、７９、１５８、または２３７のマッピング距離（ＤＴＭ）を有することができる。様々な実施形態では、４７６データトーンブロックは、２、４、７、１４、１７、２８、３４、６８、１１９、または２３８のマッピング距離（ＤＴＭ）を有することができる。様々な実施形態では、４８０データトーンブロックは、２、３、４、５、６、８、１０、１２、１５、１６、２０、２４、３０、３２、４０、４８、６０、８０、９６、１２０、１６０、または２４０のマッピング距離（ＤＴＭ）を有することができる。
【０１１４】
[00134]様々な実施形態では、９４８データトーンブロックは、２、３、４、６、１２、７９、１５８、２３７、３１６、または４７４のマッピング距離（ＤＴＭ）を有することができる。様々な実施形態では、９６０データトーンブロックは、２、３、４、５、６、８、１０、１２、１５、１６、２０、２４、３０、３２、４０、４８、６０、６４、８０、９６、１２０、１６０、１９２、２４０、３２０、または４８０のマッピング距離（ＤＴＭ）を有することができる。様々な実施形態では、９７２データトーンブロックは、２、３、４、６、９、１２、１８、２７、３６、５４、８１、１０８、１６２、２４３、３２４、または４８６のマッピング距離（ＤＴＭ）を有することができる。様々な実施形態では、９８０データトーンブロックは、２、４、５、７、１０、１４、２０、２８、３５、４９、７０、９８、１４０、１９６、２４５、または４９０のマッピング距離（ＤＴＭ）を有することができる。様々な実施形態では、９８４データトーンブロックは、２、３、４、６、８、１２、２４、４１、８２、１２３、１６４、２４６、３２８、または４９２のマッピング距離（ＤＴＭ）を有することができる。様々な実施形態では、９９０データトーンブロックは、２、３、５、６、９、１０、１１、１５、１８、２２、３０、３３、４５、５５、６６、９０、９９、１１０、１６５、１９８、３３０、または４９５のマッピング距離（ＤＴＭ）を有することができる。様々な実施形態では、９９６データトーンブロックは、２、３、４、６、１２、８３、１６６、２４９、３３２、または４９８のマッピング距離（ＤＴＭ）を有することができる。
【０１１５】
[00135]図１８は、様々なデータトーン数（Ｎｄａｔａ）のための例示的な変調およびコーディング方式（ＭＣＳ）有効性（validity）を示すチャートである。チャートは、８つの空間ストリームまでの空間ストリームのためのＭＣＳ０〜ＭＣＳ９についての無効な(invalid)ＭＣＳシナリオを示す。ＭＣＳ有効性は、ＩＥＥＥ８０２．１１ａｃ仕様において定義されている。概して、ＭＣＳが有効であるかどうかを決定するためのルールは、各空間ストリームのための単一のサブキャリアごとのコード化ビット数（ＮＢＰＳＣＳ）が、符号化ストリーム数の整数倍でなければならないことである。さらに、符号化ストリームごとのコード化ビット数は、コードレートにおける分母の整数倍でなければならない。したがって、いくつかのＭＣＳと空間ストリームの組合せは、これらの条件が満たされないとき、無効であり得る。様々な実施形態では、３８データトーンブロックは６つの除外を含む。たとえば、ここで、ＭＣＳ９およびＮｓｓ＝１、２、４、５、７、８である。様々な実施形態では、４０データトーンブロックは６つの除外を含む。たとえば、ここで、ＭＣＳ９およびＮｓｓ＝１、２、４、５、７、８である。様々な実施形態では、４２データトーンブロックは０個の除外を含む。様々な実施形態では、４４データトーンブロックは６つの除外を含む。たとえば、ここで、ＭＣＳ９およびＮｓｓ＝１、２、４、５、７、８である。様々な実施形態では、４６データトーンブロックは６つの除外を含む。たとえば、ここで、ＭＣＳ９およびＮｓｓ＝１、２、４、５、７、８である。様々な実施形態では、４８データトーンブロックは０個の除外を含む。様々な実施形態では、９６データトーンブロックは２つの除外を含む。たとえば、ここで、ＭＣＳ９およびＮｓｓ＝７、８である。様々な実施形態では、９８データトーンブロックは８つの除外を含む。たとえば、ここで、ＭＣＳ６およびＮｓｓ＝５、７であり、ＭＣＳ９およびＮｓｓ＝１、２、４、５、７、８である。様々な実施形態では、１００データトーンブロックは６つの除外を含む。たとえば、ここで、ＭＣＳ９およびＮｓｓ＝１、２、４、５、７、８である。様々な実施形態では、１０２データトーンブロックは４つの除外を含む。たとえば、ここで、ＭＣＳ６およびＮｓｓ＝５、７、ＭＣＳ９およびＮｓｓ＝７、８である。様々な実施形態では、１０４データトーンブロックは６つの除外を含む。たとえば、ここで、ＭＣＳ９およびＮｓｓ＝１、２、４、５、７、８である。様々な実施形態では、１０６データトーンブロックは８つの除外を含む。たとえば、ここで、ＭＣＳ６およびＮｓｓ＝５、７であり、ＭＣＳ９およびＮｓｓ＝１、２、４、５、７、８である。
【０１１６】
[00136]様々な実施形態では、２１６データトーンブロックは２つの除外を含む。たとえば、ここで、ＭＣＳ８およびＮｓｓ＝７、８である。様々な実施形態では、２１８データトーンブロックは１７個の除外を含む。たとえば、ここで、ＭＣＳ２およびＮｓｓ＝７であり、ＭＣＳ５およびＮｓｓ＝５、７であり、ＭＣＳ６およびＮｓｓ＝３、７であり、ＭＣＳ７およびＮｓｓ＝４、５、７であり、ＭＣＳ８およびＮｓｓ＝７、８であり、ＭＣＳ９およびＮｓｓ＝１、２、３、４、５、７、８である。様々な実施形態では、２２０データトーンブロックは１２個の除外を含む。たとえば、ここで、ＭＣＳ５およびＮｓｓ＝５、７であり、ＭＣＳ６およびＮｓｓ＝７であり、ＭＣＳ７およびＮｓｓ＝４、５であり、ＭＣＳ９およびＮｓｓ＝１、２、３、４、５、７、８である。様々な実施形態では、２２２データトーンブロックは８つの除外を含む。たとえば、ここで、ＭＣＳ２およびＮｓｓ＝７であり、ＭＣＳ６およびＮｓｓ＝３、７であり、ＭＣＳ７およびＮｓｓ＝７であり、ＭＣＳ８およびＮｓｓ＝７、８であり、ＭＣＳ９およびＮｓｓ＝４、８である。様々な実施形態では、２２４データトーンブロックは１３個の除外を含む。たとえば、ここで、ＭＣＳ５およびＮｓｓ＝５、７であり、ＭＣＳ７およびＮｓｓ＝４、５であり、ＭＣＳ８およびＮｓｓ＝７、８であり、ＭＣＳ９およびＮｓｓ＝１、２、３、４、５、７、８である。様々な実施形態では、２２５データトーンブロックは１７個の除外を含む。たとえば、ここで、ＭＣＳ０およびＮｓｓ＝１、３、５、７であり、ＭＣＳ２およびＮｓｓ＝１、３、５、７であり、ＭＣＳ４およびＮｓｓ＝５であり、ＭＣＳ６およびＮｓｓ＝１、３、５、７であり、ＭＣＳ７およびＮｓｓ＝３、６、７であり、ＭＣＳ８およびＮｓｓ＝５である。様々な実施形態では、２２５データトーンブロックは１６個の除外を含む。たとえば、ここで、ＭＣＳ２およびＮｓｓ＝７であり、ＭＣＳ５およびＮｓｓ＝５、７であり、ＭＣＳ６およびＮｓｓ＝３、７であり、ＭＣＳ７およびＮｓｓ＝４、５、７であり、ＭＣＳ８およびＮｓｓ＝７であり、ＭＣＳ９およびＮｓｓ＝１、２、３、４、５、７、８である。様々な実施形態では、２２８データトーンブロックは４つの除外を含む。たとえば、ここで、ＭＣＳ６およびＮｓｓ＝７であり、ＭＣＳ８およびＮｓｓ＝７であり、ＭＣＳ９およびＮｓｓ＝４、８である。様々な実施形態では、２３０データトーンブロックは１５個の除外を含む。たとえば、ここで、ＭＣＳ２およびＮｓｓ＝７であり、ＭＣＳ５およびＮｓｓ＝５、７であり、ＭＣＳ６およびＮｓｓ＝３、７であり、ＭＣＳ７およびＮｓｓ＝４、５、７であり、ＭＣＳ９およびＮｓｓ＝１、２、３、４、５、７、８である。様々な実施形態では、２３２データトーンブロックは１１個の除外を含む。たとえば、ここで、ＭＣＳ５およびＮｓｓ＝５であり、ＭＣＳ７およびＮｓｓ＝４、５であり、ＭＣＳ８およびＮｓｓ＝７であり、ＭＣＳ９およびＮｓｓ＝１、２、３、４、５、７、８である。
【０１１７】
[00137]図１９は、様々なデータトーン数（Ｎｄａｔａ）のための例示的な変調およびコーディング方式（ＭＣＳ）有効性を示すチャートである。チャートは、８つの空間ストリームまでの空間ストリームのためのＭＣＳ０〜ＭＣＳ９についての無効なＭＣＳシナリオを示す。様々な実施形態では、４７４データトーンブロックは１５個の除外を含む。たとえば、ここで、ＭＣＳ２およびＮｓｓ＝５であり、ＭＣＳ４およびＮｓｓ＝５、７であり、ＭＣＳ７およびＮｓｓ＝３、６、７、８であり、ＭＣＳ８およびＮｓｓ＝５、７、８であり、ＭＣＳ９およびＮｓｓ＝２、４、６、７、８である。様々な実施形態では、４７６データトーンブロックは１５個の除外を含む。たとえば、ここで、ＭＣＳ３およびＮｓｓ＝５であり、ＭＣＳ４およびＮｓｓ＝７であり、ＭＣＳ７およびＮｓｓ＝２、５、７、８であり、ＭＣＳ８およびＮｓｓ＝７、８であり、ＭＣＳ９およびＮｓｓ＝１、２、４、５、６、７、８である。様々な実施形態では、４８０データトーンブロックは９つの除外を含む。たとえば、ここで、ＭＣＳ７およびＮｓｓ＝６、８であり、ＭＣＳ８およびＮｓｓ＝５、８であり、ＭＣＳ９およびＮｓｓ＝２、４、６、７、８である。様々な実施形態では、９４８データトーンブロックは２７個の除外を含む。たとえば、ここで、ＭＣＳ２およびＮｓｓ＝５、７であり、ＭＣＳ４およびＮｓｓ＝５、７、８であり、ＭＣＳ５およびＮｓｓ＝５、６、７、８であり、ＭＣＳ７およびＮｓｓ＝３、４、５、６、７、８であり、ＭＣＳ８およびＮｓｓ＝４、５、７、８であり、ＭＣＳ９およびＮｓｓ＝１、２、３、４、５、６、７、８である。様々な実施形態では、９６０データトーンブロックは２１個の除外を含む。たとえば、ここで、ＭＣＳ４およびＮｓｓ＝５、８であり、ＭＣＳ５およびＮｓｓ＝５、６、７であり、ＭＣＳ７およびＮｓｓ＝３、４、６、８であり、ＭＣＳ８およびＮｓｓ＝４、５、７、８であり、ＭＣＳ９およびＮｓｓ＝１、２、３、４、５、６、７、８である。様々な実施形態では、９７２データトーンブロックは２４個の除外を含む。たとえば、ここで、ＭＣＳ２およびＮｓｓ＝５、６、７であり、ＭＣＳ４およびＮｓｓ＝３、５、７、８であり、ＭＣＳ５およびＮｓｓ＝６、７、８であり、ＭＣＳ６およびＮｓｓ＝２、３、５、６、７、８であり、ＭＣＳ７およびＮｓｓ＝３、６、７であり、ＭＣＳ８およびＮｓｓ＝４、５、６、７、８である。様々な実施形態では、９８０データトーンブロックは２３個の除外を含む。たとえば、ここで、ＭＣＳ１およびＮｓｓ＝５であり、ＭＣＳ２およびＮｓｓ＝５であり、ＭＣＳ４およびＮｓｓ＝８であり、ＭＣＳ５およびＮｓｓ＝６、７、８であり、ＭＣＳ６およびＮｓｓ＝５、６、８であり、ＭＣＳ７およびＮｓｓ＝１、５、７、８であり、ＭＣＳ８およびＮｓｓ＝４、６、８であり、ＭＣＳ９およびＮｓｓ＝１、２、４、５、６、７、８である。様々な実施形態では、９８４データトーンブロックは２９個の除外を含む。たとえば、ここで、ＭＣＳ２およびＮｓｓ＝６、７であり、ＭＣＳ４およびＮｓｓ＝３、５、７、８であり、ＭＣＳ５およびＮｓｓ＝６、７、８であり、ＭＣＳ６およびＮｓｓ＝２、３、５、６、７、８であり、ＭＣＳ７およびＮｓｓ＝３、��、７、８であり、ＭＣＳ８およびＮｓｓ＝４、５、６、７、８であり、ＭＣＳ９およびＮｓｓ＝２、４、６、７、８である。様々な実施形態では、９９０データトーンブロックは２０個の除外を含む。たとえば、ここで、ＭＣＳ０およびＮｓｓ＝５、７であり、ＭＣＳ１およびＮｓｓ＝７であり、ＭＣＳ２およびＮｓｓ＝５であり、ＭＣＳ４およびＮｓｓ＝５であり、ＭＣＳ５およびＮｓｓ＝７であり、ＭＣＳ６およびＮｓｓ＝３、６、８であり、ＭＣＳ７およびＮｓｓ＝３、５、６、７、８であり、ＭＣＳ８およびＮｓｓ＝５、６であり、ＭＣＳ９およびＮｓｓ＝２、４、５、６である。様々な実施形態では、９９６データトーンブロックは２７個の除外を含む。たとえば、ここで、ＭＣＳ２およびＮｓｓ＝５、６、７であり、ＭＣＳ４およびＮｓｓ＝３、５、７であり、ＭＣＳ５およびＮｓｓ＝７、８であり、ＭＣＳ６およびＮｓｓ＝２、３、５、６、７、８であり、ＭＣＳ７およびＮｓｓ＝３、６、７、８であり、ＭＣＳ８およびＮｓｓ＝５、６、７、８であり、ＭＣＳ９およびＮｓｓ＝２、４、６、７、８である。
【０１１８】
[00138]図２０に、図１のワイヤレス通信システム１００内で採用され得るワイヤレス通信の例示的な方法のためのフローチャート２０００を示す。本方法は、ＡＰ１０４（図１）、ＳＴＡ１０６（図１）のいずれか、図２に示されたワイヤレスデバイス２０２、デバイス１０１０、１０２０、１０３０、または１０４０（図１０）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１０のシステム１０００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１１９】
[00139]最初に、ブロック２０１０において、ワイヤレスデバイスが、メッセージのワイヤレス通信について、６４トーンプラン、１２８トーンプラン、２５６トーンプラン、５１２トーンプラン、および１０２４トーンプランのうちの１つから選択する。６４トーンプランは、３８個のデータトーン、４０個のデータトーン、４２個のデータトーン、４４個のデータトーン、４６個のデータトーン、および４８個のデータトーンのうちの１つと、６４トーンプランが少なくとも１つの直流トーンを備えるとき、１８個のパイロットトーン、１６個のパイロットトーン、１４個のパイロットトーン、１２個のパイロットトーン、１０個のパイロットトーン、および８つのパイロットトーンのうちの多くとも１つと、６４トーンプランが少なくとも５つの直流トーンを備えるとき、１４個のパイロットトーン、１２個のパイロットトーン、１０個のパイロットトーン、８つのパイロットトーン、６つのパイロットトーン、および４つのパイロットトーンのうちの多くとも１つと、６４トーンプランが少なくとも７つの直流トーンを備えるとき、１２個のパイロットトーン、１０個のパイロットトーン、８つのパイロットトーン、６つのパイロットトーン、および４つのパイロットトーンのうちの多くとも１つとを含む。１２８トーンプランは、９６個のデータトーン、９８個のデータトーン、１００個のデータトーン、１０２個のデータトーン、１０４個のデータトーン、および１０６個のデータトーンのうちの１つと、１２８トーンプランが少なくとも３つの直流トーンを備えるとき、１８個のパイロットトーン、１６個のパイロットトーン、１４個のパイロットトーン、１２個のパイロットトーン、１０個のパイロットトーン、および８つのパイロットトーンのうちの多くとも１つと、１２８トーンプランが少なくとも５つの直流トーンを備えるとき、１６個のパイロットトーン、１４個のパイロットトーン、１２個のパイロットトーン、１０個のパイロットトーン、８つのパイロットトーン、および６つのパイロットトーンのうちの多くとも１つと、１２８トーンプランが少なくとも７つの直流トーンを備えるとき、１４個のパイロットトーン、１２個のパイロットトーン、１０個のパイロットトーン、８つのパイロットトーン、および６つのパイロットトーンのうちの多くとも１つとを含む。２５６トーンプランは、２１６個のデータトーン、２１８個のデータトーン、２２０個のデータトーン、２２２個のデータトーン、２２４個のデータトーン、２２５個のデータトーン、２２６個のデータトーン、２２８個のデータトーン、２３０個のデータトーン、および２３０個のデータトーンのうちの１つと、２５６トーンプランが少なくとも３つの直流トーンを備えるとき、２６個のパイロットトーン、２４個のパイロットトーン、２２個のパイロットトーン、２０個のパイロットトーン、１８個のパイロットトーン、１７個のパイロットトーン、１６個のパイロットトーン、１４個のパイロットトーン、１２個のパイロットトーン、および１０個のパイロットトーンのうちの多くとも１つと、２５６トーンプランが少なくとも５つの直流トーンを備えるとき、２４個のパイロットトーン、２２個のパイロットトーン、２０個のパイ��ットトーン、１８個のパイロットトーン、１６個のパイロットトーン、１５個のパイロットトーン、１４個のパイロットトーン、１２個のパイロットトーン、１０個のパイロットトーン、および８つのパイロットトーンのうちの多くとも１つと、２５６トーンプランが少なくとも７つの直流トーンを備えるとき、２２個のパイロットトーン、２０個のパイロットトーン、１８個のパイロットトーン、１６個のパイロットトーン、１４個のパイロットトーン、１３個のパイロットトーン、１２個のパイロットトーン、１０個のパイロットトーン、および８つのパイロットトーンのうちの多くとも１つとを含む。５１２トーンプランは、４７４個のデータトーン、４７６個のデータトーン、および４８０個のデータトーンのうちの１つと、５１２トーンプランが少なくとも５つの直流トーンを備えるとき、２２個のパイロットトーン、２０個のパイロットトーン、および１６個のパイロットトーンのうちの多くとも１つと、５１２トーンプランが少なくとも１１個の直流トーンを備えるとき、１６個のパイロットトーンおよび１４個のパイロットトーンのうちの多くとも１つとを含む。１０２４トーンプランは、９４８個のデータトーン、９６０個のデータトーン、９７２個のデータトーン、９８０個のデータトーン、９８４個のデータトーン、９９０個のデータトーン、および９９６個のデータトーンのうちの１つと、１０２４トーンプランが少なくとも５つの直流トーンを備えるとき、６０個のパイロットトーン、４８個のパイロットトーン、３６個のパイロットトーン、２８個のパイロットトーン、２４個のパイロットトーン、１８個のパイロットトーン、および１２個のパイロットトーンのうちの多くとも１つと、１０２４トーンプランが少なくとも１１個の直流トーンを備えるとき、５４個のパイロットトーン、４２個のパイロットトーン、３０個のパイロットトーン、２２個のパイロットトーン、１８個のパイロットトーン、および１２個のパイロットトーンのうちの多くとも１つとを含む。たとえば、ＡＰ１０４は、図１２〜図１６に関して上記で説明したトーンプランのうちの１つから選択することができる。
【０１２０】
[00140]６４トーンプランを選択すると、ブロック２０２０において、ワイヤレスデバイスは、５ＭＨｚ帯域幅上での送信のためにメッセージを供給する。たとえば、ＡＰ１０４は、６４トーンプランに従って、アンテナ２１６を介した送信のためにメッセージを送信機２１０に供給することができる。様々な実施形態では、６４トーンプランは、４ｘシンボル持続時間を有する５ＭＨｚシステムに適用され得る。様々な実施形態では、他の帯域幅および／またはシンボル持続時間が使用され得る。
【０１２１】
[00141]１２８トーンプランを選択すると、ブロック２０３０において、ワイヤレスデバイスは、１０ＭＨｚ帯域幅上での送信のためにメッセージを供給する。たとえば、ＡＰ１０４は、６４トーンプランに従って、アンテナ２１６を介した送信のためにメッセージを送信機２１０に供給することができる。様々な実施形態では、１２８トーンプランは、４ｘシンボル持続時間を有する１０ＭＨｚシステムに適用され得る。様々な実施形態では、他の帯域幅および／またはシンボル持続時間が使用され得る。
【０１２２】
[00142]２５６トーンプランを選択すると、ブロック２０４０において、ワイヤレスデバイスは、２０ＭＨｚ帯域幅上での送信のためにメッセージを供給する。たとえば、ＡＰ１０４は、６４トーンプランに従って、アンテナ２１６を介した送信のためにメッセージを送信機２１０に供給することができる。様々な実施形態では、２５６トーンプランは、４ｘシンボル持続時間を有する２０ＭＨｚシステムに適用され得る。様々な実施形態では、他の帯域幅および／またはシンボル持続時間が使用され得る。
【０１２３】
[00143]５１２トーンプランを選択すると、ブロック２０５０において、ワイヤレスデバイスは、４０ＭＨｚ帯域幅上での送信のためにメッセージを供給する。たとえば、ＡＰ１０４は、６４トーンプランに従って、アンテナ２１６を介した送信のためにメッセージを送信機２１０に供給することができる。様々な実施形態では、５１２トーンプランは、４ｘシンボル持続時間を有する４０ＭＨｚシステムに適用され得る。様々な実施形態では、他の帯域幅および／またはシンボル持続時間が使用され得る。
【０１２４】
[00144]１０２４トーンプランを選択すると、ブロック２０６０において、ワイヤレスデバイスは、８０ＭＨｚ帯域幅上での送信のためにメッセージを供給する。たとえば、ＡＰ１０４は、６４トーンプランに従って、アンテナ２１６を介した送信のためにメッセージを送信機２１０に供給することができる。様々な実施形態では、１０２４トーンプランは、４ｘシンボル持続時間を有する８０ＭＨｚシステムに適用され得る。様々な実施形態では、他の帯域幅および／またはシンボル持続時間が使用され得る。
【０１２５】
[00145]様々な実施形態では、本方法は、たとえば６４トーンプランに従って、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、１〜１６のうちの少なくとも１つのインターリーブされた回転インデックスと、［０  ２  １  ３］のベースサブキャリア回転とを使用することを含むことができる。前記インターリーブすることは、４より多い空間ストリームについて、１〜１０のうちの少なくとも１つのインターリーブされた回転インデックスと、［０  ４  ２  ６  １  ５  ３  ７］または［０  ５  ２  ７  ３  ６  １  ４］のベースサブキャリア回転とを使用することを含むことができる。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。本方法は、１つまたは複数の空間ストリームを介して一連のインターリーブされたビットを送信することをさらに含むことができる。たとえば、図１１を参照すると、インターリービングシステム１０１４は、１つまたは複数の空間ストリームのために一連のインターリーブされたビットを生成することができる。１つまたは複数の空間ストリームのためにインターリーブすることは、図１２〜図１６に記載のインターリーバ深度を使用して、１２データトーンブロックを使用することを含むことができる。
【０１２６】
[00146]様々な実施形態では、一連のインターリーブされたビットは、１つまたは複数の空間ストリームを介して送信され得る。たとえば、図１１を参照すると、一連のインターリーブされたビットは、送信回路１１１０ａ〜１１１０ｃとアンテナ１１１２ａ〜１１１２ｃとを使用して送信され得る。様々な実施形態では、前記インターリーブすることは、３８のデータトーンブロックのための２または１９のインターリーバ深度と、４０のデータトーンブロックのための２、４、５、８、１０、または２０のインターリーバ深度と、４２のデータトーンブロックのための２、３、６、７、１４、または２１のインターリーバ深度と、４４のデータトーンブロックのための２、４、１１、または２２のインターリーバ深度と、４６のデータトーンブロックのための２または２３のインターリーバ深度と、４８のデータトーンブロックのための２、３、４、６、８、１２、１６、または２４のインターリーバ深度とを使用することのうちの少なくとも１つをさらに含むことができる。
【０１２７】
[00147]様々な実施形態では、本方法は、たとえば１２８トーンプランに従って、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、１〜３１のうちの少なくとも１つのインターリーブされた回転インデックスと、［０  ２  １  ３］のベースサブキャリア回転とを使用することを含むことができる。前記インターリーブすることは、４より多い空間ストリームについて、１〜１８のうちの少なくとも１つのインターリーブされた回転インデックスと、［０  ４  ２  ６  １  ５  ３  ７］または［０  ５  ２  ７  ３  ６  １  ４］のベースサブキャリア回転とを使用することを含むことができる。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。本方法は、１つまたは複数の空間ストリームを介して一連のインターリーブされたビットを送信することをさらに含むことができる。たとえば、図１１を参照すると、インターリービングシステム１０１４は、１つまたは複数の空間ストリームのために一連のインターリーブされたビットを生成することができる。１つまたは複数の空間ストリームのためにインターリーブすることは、図１２〜図１６に記載のインターリーバ深度を使用して、１２データトーンブロックを使用することを含むことができる。
【０１２８】
[00148]様々な実施形態では、一連のインターリーブされたビットは、１つまたは複数の空間ストリームを介して送信され得る。たとえば、図１１を参照すると、一連のインターリーブされたビットは、送信回路１１１０ａ〜１１１０ｃとアンテナ１１１２ａ〜１１１２ｃとを使用して送信され得る。様々な実施形態では、前記インターリーブすることは、９６のデータトーンブロックのための２、３、４、６、８、１２、１６、２４、３２、または４８のインターリーバ深度と、９８のデータトーンブロックのための２、７、１４、または４９のインターリーバ深度と、１００のデータトーンブロックのための２、４、５、１０、２０、２５、または５０のインターリーバ深度と、１０２のデータトーンブロックのための２、３、６、１７、３４、または５１のインターリーバ深度と、１０４のデータトーンブロックのための２、４、８、１３、２６、または５２のインターリーバ深度と、１０６のデータトーンブロックのための２または５３のインターリーバ深度とを使用することのうちの少なくとも１つをさらに含むことができる。
【０１２９】
[00149]様々な実施形態では、本方法は、たとえば２５６トーンプランに従って、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、５０〜６２のうちの少なくとも１つのインターリーブされた回転インデックスと、［０  ２  １  ３］のベースサブキャリア回転とを使用することを含むことができる。前記インターリーブすることは、４より多い空間ストリームについて、１〜３３のうちの少なくとも１つのインターリーブされた回転インデックスと、［０  ４  ２  ６  １  ５  ３  ７］または［０  ５  ２  ７  ３  ６  １  ４］のベースサブキャリア回転とを使用することを含むことができる。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。本方法は、１つまたは複数の空間ストリームを介して一連のインターリーブされたビットを送信することをさらに含むことができる。たとえば、図１１を参照すると、インターリービングシステム１０１４は、１つまたは複数の空間ストリームのために一連のインターリーブされたビットを生成することができる。１つまたは複数の空間ストリームのためにインターリーブすることは、図１２〜図１６に記載のインターリーバ深度を使用して、１２データトーンブロックを使用することを含むことができる。
【０１３０】
[00150]様々な実施形態では、一連のインターリーブされたビットは、１つまたは複数の空間ストリームを介して送信され得る。たとえば、図１１を参照すると、一連のインターリーブされたビットは、送信回路１１１０ａ〜１１１０ｃとアンテナ１１１２ａ〜１１１２ｃとを使用して送信され得る。様々な実施形態では、前記インターリーブすることは、２１６のデータトーンブロックのための２、３、４、６、８、９、１２、１８、２４、２７、３６、５４、７２、または１０８のインターリーバ深度と、２１８のデータトーンブロックのための２または１０９のインターリーバ深度と、２２０のデータトーンブロックのための２、４、５、１０、１１、２０、２２、４４、５５、または１１０のインターリーバ深度と、２２２のデータトーンブロックのための２、３、６、３７、７４、または１１１のインターリーバ深度と、２２４のデータトーンブロックのための２、４、７、８、１４、１６、２８、３２、５６、または１１２のインターリーバ深度と、２２５のデータトーンブロックのための３、５、９、１５、２５、４５、または７５のインターリーバ深度と、２２６のデータトーンブロックのための２または１１３のインターリーバ深度と、２２８のデータトーンブロックのための２、３、４、６、１２、１９、３８、５７、７６、または１１４のインターリーバ深度と、２３０のデータトーンブロックのための２、５、１０、２３、４６、または１１５のインターリーバ深度と、２３２のデータトーンブロックのための２、４、８、２９、５８、または１１６のインターリーバ深度とを使用することのうちの少なくとも１つをさらに含むことができる。
【０１３１】
[00151]様々な実施形態では、本方法は、たとえば５１２トーンプランに従って、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、１１３〜１２７のうちの少なくとも１つのインターリーブされた回転インデックスと、［０  ２  １  ３］のベースサブキャリア回転とを使用することを含むことができる。前記インターリーブすることは、４より多い空間ストリームについて、５４〜６６のうちの少なくとも１つのインターリーブされた回転インデックスと、［０  ４  ２  ６  １  ５  ３  ７］または［０  ５  ２  ７  ３  ６  １  ４］のベースサブキャリア回転とを使用することを含むことができる。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。本方法は、１つまたは複数の空間ストリームを介して一連のインターリーブされたビットを送信することをさらに含むことができる。たとえば、図１１を参照すると、インターリービングシステム１０１４は、１つまたは複数の空間ストリームのために一連のインターリーブされたビットを生成することができる。１つまたは複数の空間ストリームのためにインターリーブすることは、図１２〜図１６に記載のインターリーバ深度を使用して、１２データトーンブロックを使用することを含むことができる。
【０１３２】
[00152]様々な実施形態では、一連のインターリーブされたビットは、１つまたは複数の空間ストリームを介して送信され得る。たとえば、図１１を参照すると、一連のインターリーブされたビットは、送信回路１１１０ａ〜１１１０ｃとアンテナ１１１２ａ〜１１１２ｃとを使用して送信され得る。様々な実施形態では、前記インターリーブすることは、４７４のデータトーンブロックのための２、３、６、７９、１５８、または２３７のインターリーバ深度と、４７６のデータトーンブロックのための２、４、７、１４、１７、２８、３４、６８、１１９、または２３８のインターリーバ深度と、４８０のデータトーンブロックのための２、３、４、５、６、８、１０、１２、１５、１６、２０、２４、３０、３２、４０、４８、６０、８０、９６、１２０、１６０、または２４０のインターリーバ深度とを使用することのうちの少なくとも１つをさらに含むことができる。
【０１３３】
[00153]様々な実施形態では、本方法は、たとえば１０２４トーンプランに従って、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、２３２〜２５４のうちの少なくとも１つのインターリーブされた回転インデックスと、［０  ２  １  ３］のベースサブキャリア回転とを使用することを含むことができる。前記インターリーブすることは、４より多い空間ストリームについて、１１３〜１３０のうちの少なくとも１つのインターリーブされた回転インデックスと、［０  ４  ２  ６  １  ５  ３  ７］または［０  ５  ２  ７  ３  ６  １  ４］のベースサブキャリア回転とを使用することを含むことができる。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。本方法は、１つまたは複数の空間ストリームを介して一連のインターリーブされたビットを送信することをさらに含むことができる。たとえば、図１１を参照すると、インターリービングシステム１０１４は、１つまたは複数の空間ストリームのために一連のインターリーブされたビットを生成することができる。１つまたは複数の空間ストリームのためにインターリーブすることは、図１２〜図１６に記載のインターリーバ深度を使用して、１２データトーンブロックを使用することを含むことができる。
【０１３４】
[00154]様々な実施形態では、一連のインターリーブされたビットは、１つまたは複数の空間ストリームを介して送信され得る。たとえば、図１１を参照すると、一連のインターリーブされたビットは、送信回路１１１０ａ〜１１１０ｃとアンテナ１１１２ａ〜１１１２ｃとを使用して送信され得る。様々な実施形態では、前記インターリーブすることは、９４８のデータトーンブロックのための２、３、４、６、１２、７９、１５８、２３７、３１６、または４７４のインターリーバ深度と、９６０のデータトーンブロックのための２、３、４、５、６、８、１０、１２、１５、１６、２０、２４、３０、３２、４０、４８、６０、６４、８０、９６、１２０、１６０、１９２、２４０、３２０、または４８０のインターリーバ深度と、９７２のデータトーンブロックのための２、３、４、６、９、１２、１８、２７、３６、５４、８１、１０８、１６２、２４３、３２４、または４８６のインターリーバ深度と、９８０のデータトーンブロックのための２、４、５、７、１０、１４、２０、２８、３５、４９、７０、９８、１４０、１９６、２４５、または４９０のインターリーバ深度と、９８４のデータトーンブロックのための２、３、４、６、８、１２、２４、４１、８２、１２３、１６４、２４６、３２８、または４９２のインターリーバ深度と、９９０のデータトーンブロックのための２、３、５、６、９、１０、１１、１５、１８、２２、３０、３３、４５、５５、６６、９０、９９、１１０、１６５、１９８、３３０、または４９５のインターリーバ深度と、９９６のデータトーンブロックのための２、３、４、６、１２、８３、１６６、２４９、３３２、または４９８のインターリーバ深度とを使用することのうちの少なくとも１つをさらに含むことができる。
【０１３５】
[00155]一実施形態では、図１１に示された方法は、選択回路と、供給回路と、インターリービング回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０１３６】
[00156]選択回路は、メッセージのワイヤレス通信のためにトーンプランを選択することように構成され得る。一実施形態では、選択回路は、フローチャート２０００（図２０）のブロック２０１０を実装するように構成され得る。選択回路は、ＤＳＰ２２０（図２）、プロセッサ２０４（図２）、およびメモリ２０６（図２）のうちの１つまたは複数を含むことができる。いくつかの実装形態では、選択するための手段は選択回路を含むことができる。
【０１３７】
[00157]供給回路は、選択されたトーンプランに従って送信のためにメッセージを供給するように構成され得る。一実施形態では、供給回路は、フローチャート２０００（図２０）のブロック２０２０〜２０６０のいずれかを実装するように構成され得る。供給回路は、送信機２１０（図２）、トランシーバ２１４（図２）、プロセッサ２０４（図２）、ＤＳＰ２２０（図２）、およびメモリ２０６（図２）のうちの１つまたは複数を含むことができる。いくつかの実装形態では、供給するための手段は供給回路を含むことができる。
【０１３８】
[00158]インターリービング回路は、送信のためにデータをインターリーブするように構成され得る。インターリービング回路は、インターリービングシステム１０１４（図１０）、ストリームパーサ１１０６（図１１）、インターリーバ１１０８Ａ〜１１０８Ｃ（図１１）のいずれか、プロセッサ２０４（図２）、ＤＳＰ２２０（図２）、およびメモリ２０６（図２）のうちの１つまたは複数を含むことができる。いくつかの実装形態では、インターリーブするための手段はインターリービング回路を含むことができる。
【０１３９】
[00159]様々な実施形態では、６４トーンプラン（または他のサイズのトーンプラン）は、有利には、５２トーンＲＵにおいて４８個のデータトーンと４つのパイロットトーンとを含むことができる。様々な実施形態では、１２８トーンプラン（または他のサイズのトーンプラン）は、有利には、１０６トーンＲＵにおいて１０２個のデータトーンと４つのパイロットトーンとを含むことができる。様々な実施形態では、図２１に関して以下で説明するこの構成は、本明細書で説明する他のトーンプランに勝るいくつかの利点を与えることができる。
【０１４０】
[00160]図２１に、図１のワイヤレス通信システム１００内で採用され得るワイヤレス通信の例示的な方法のためのフローチャート２１００を示す。本方法は、ＡＰ１０４（図１）、ＳＴＡ１０６Ａ〜１０６Ｄ（図１）のいずれか、図２に示されたワイヤレスデバイス２０２、および／またはデバイス１０１０、１０２０、１０３０、または１０４０（図１０）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１０のシステム１０００、ならびに図３〜図９および図１２〜図１９のトーンプランに関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１４１】
[00161]最初に、ブロック２１１０において、ワイヤレスデバイスは、６４トーンプランと１２８トーンプランとのうちの少なくとも１つに従ってワイヤレス通信のためのメッセージを生成する。６４トーンプランは、４８個のデータトーンと４つのパイロットトーンとを含む。１２８トーンプランは、１０２個のデータトーンと４つのパイロットトーンとを含む。たとえば、ワイヤレスデバイスは、図３〜図９および図１２〜図１９に関して上記で説明した、６４トーンプランまたは１２８トーンプランに従ってメッセージを生成することができる。
【０１４２】
[00162]様々な実施形態では、６４トーンプランまたは１２８に従ってメッセージを生成することは、複数のデータビットを符号化することと、符号化ビットのストリームをパースすることと、符号化ビットをインターリーブすることと、データビットを指定された数のＯＦＤＭデータトーンにマッピングすることと、ビットのパイロットシーケンスを指定された数のパイロットＯＦＤＭトーンにマッピングすることと、ヌルデータビットを指定された数の左ガードトーン、右ガードトーン、およびＤＣトーンにマッピングすることと、のうちの１つまたは複数を含むことができる。たとえば、エンコーダ１１０４（図１１）はデータビットを符号化することができる。ストリームパーサ１１０６（図１１）は符号化データビットをパースすることができる。インターリーバ１１０８ａ〜１１０８ｃ（図１１）はパースされたデータをインターリーブする。６４トーンプランの場合、変調器１１０２ａ〜１１０２ｃ（図１１）は、データビットを４８個のＯＦＤＭデータトーンにマッピングし、ビットのパイロットシーケンスを４つのパイロットＯＦＤＭトーンにマッピングし、ヌルデータビットをガードトーンおよびＤＣトーンとして使用するために１２個の残りのトーンにマッピングすることができる。１２８トーンプランの場合、変調器１１０２ａ〜１１０８ｃ（図１１）は、データビットを１０２個のＯＦＤＭデータトーンにマッピングし、ビットのパイロットシーケンスを４つのパイロットＯＦＤＭトーンにマッピングし、ヌルデータビットをガードトーンおよびＤＣトーンとして使用するために２２個の残りのトーンにマッピングすることができる。
【０１４３】
[00163]次に、ブロック２１２０において、ワイヤレスデバイスは送信のためにメッセージを供給する。たとえば、ＡＰ１０４は、アンテナ２１６を介した送信のためにメッセージを送信機２１０に供給することができる。
【０１４４】
[00164]様々な実施形態では、送信のためにメッセージを供給することは、複数のデータビットを符号化することと、符号化ビットのストリームをパースすることと、符号化ビットをインターリーブすることと、データビットを指定された数のＯＦＤＭデータトーンにマッピングすることと、ビットのパイロットシーケンスを指定された数のパイロットＯＦＤＭトーンにマッピングすることと、ヌルデータビットを指定された数の左ガードトーン、右ガードトーン、およびＤＣトーンにマッピングすることと、のうちの１つまたは複数を含むことができる。たとえば、プロセッサ２０４（図２）は、１０２４トーンプランに従って複数のデータビットを編成することができる。エンコーダ１１０４（図１１）はデータビットを符号化することができる。ストリームパーサ１１０６（図１１）は符号化データビットをパースすることができる。インターリーバ１１０８ａ〜１１０８ｃ（図１１）はパースされたデータをインターリーブする。変調器１１０２ａ〜１１０２ｃ（図１１）は、送信機１１１０ａ〜１１１０ｃ（図１１）を介した送信のためにインターリーブされたデータを変調することができる。
【０１４５】
[00165]様々な実施形態では、本方法は、１６のインターリーバ深度と１１のベースサブキャリア回転とを使用して、５２個のトーンのセットに従って生成されたメッセージのために、符号化データをインターリーブすることをさらに含むことができる。様々な実施形態では、本方法は、メッセージを送信するために使用される各空間ストリームのための単一のサブキャリアごとのコード化ビット数の３倍に等しい数のインターリーバ行を使用して、５２個のトーンのセットに従って生成されたメッセージのために、符号化データをインターリーブすることをさらに含むことができる。様々な実施形態では、本方法は、１７のインターリーバ深度と２９のベースサブキャリア回転とを使用して、１０６個のトーンのセットに従って生成されたメッセージのために、符号化データをインターリーブすることをさらに含むことができる。様々な実施形態では、本方法は、メッセージを送信するために使用される各空間ストリームのための単一のサブキャリアごとのコード化ビット数の６倍に等しい数のインターリーバ行を使用して、１０６個のトーンのセットに従って生成されたメッセージのために、符号化データをインターリーブすることをさらに含むことができる。
【０１４６】
[00166]様々な実施形態では、本方法は、３の低密度パリティチェック（ＬＤＰＣ）トーンマッピング距離（ＤＴＭ）を使用して、５２個のトーンのセットに従って生成されたメッセージのために、メッセージのトーンをマッピングすることをさらに含むことができる。様々な実施形態では、本方法は、６の低密度パリティチェック（ＬＤＰＣ）トーンマッピング距離（ＤＴＭ）を使用して、１０６個のトーンのセットに従って生成されたメッセージのために、メッセージのトーンをマッピングすることをさらに含むことができる。様々な実施形態では、本方法は、バイナリ畳み込みコードインターリービングを使用するとき、４つ以下の空間ストリーム上での送信のためにメッセージを供給することをさらに含むことができる。
【０１４７】
[00167]いくつかの実施形態では、トーンマッピングのプロセスは、符号化データビットのコンスタレーションポイントをＯＦＤＭサブキャリアに関連付けることを含むことができる。各トーンがそれにマッピングされるＯＦＤＭサブキャリアは、示されたサブキャリア数だけ分離され得る。たとえば、そのようなマッピングは複数のデータビットを符号化することと、それらの符号化ビットを直交振幅変調（ＱＡＭ）シンボルにマッピングすることとを含むことができる。マッピングは、第１のＱＡＭシンボルを第１のデータトーンにマッピングすること、第２のＱＡＭシンボルを第（１＋ＤＴＭ）のデータトーンにマッピングすること、第３のＱＡＭシンボルを第（１＋２＊ＤＴＭ）のデータトーンにマッピングすることなどをさらに含むことができる。マッピングは、たとえば、第４９のＱＡＭシンボルが第９６０のデータトーンにマッピングされ、第５０のＱＡＭシンボルが第２のデータトーンにマッピングされ、第５１のＱＡＭシンボルが第（２＋Ｄ＿ＴＭ）のデータトーンにマッピングされるなどのように、ラップアラウンドする（wrap around）ことができる。
【０１４８】
[00168]様々な実施形態では、本方法は、たとえば、図１のＳＴＡ１０６Ａ〜１０６Ｄなどの移動局上で実施され得る。送信のためにメッセージを供給することは、移動局をサービスするアクセスポイント（たとえば、図１のＡＰ１０４）に、移動局の送信機（たとえば、図２の送信機２１０）およびアンテナ（たとえば、図２のアンテナ２１６）を通してメッセージを送信することを含むことができる。様々な実施形態では、本方法は、たとえば、図１のＡＰ１０４などのアクセスポイント上で実施され得る。送信のためにメッセージを供給することは、アクセスポイントによってサービスされる移動局（たとえば、図１のＳＴＡ１０６Ａ）に、アクセスポイントの送信機（たとえば、図２の送信機２１０）およびアンテナ（たとえば、図２のアンテナ２１６）を通してメッセージを送信することを含むことができる。
【０１４９】
[00169]様々な実施形態では、図２１の方法は、図２０の方法に示された１つまたは複数のブロックを含むことができる。たとえば、本方法は、図２０のブロック２０１０に関して上記で説明したように、６４トーンプラン、１２８トーンプラン、２５６トーンプラン、５１２トーンプラン、および１０２４トーンプランのうちの１つから選択することを含むことができる。２５６トーンプラン、５１２トーンプラン、および１０２４トーンプランは、図３〜図９および図１２〜図１９に関して上記で説明した特性のいずれかを有することができる。
【０１５０】
[00170]一実施形態では、図２１に示された方法は、生成回路と供給回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０１５１】
[00171]生成回路は、６４トーンプランまたは１２８トーンプランに従ってメッセージを生成するように構成され得る。一実施形態では、生成回路は、フローチャート２１００（図２１）のブロック２１１０を実装するように構成され得る。生成回路は、ＤＳＰ２２０（図２）、プロセッサ２０４（図２）、およびメモリ２０６（図２）のうちの１つまたは複数を含むことができる。いくつかの実装形態では、生成するための手段は生成回路を含むことができる。
【０１５２】
[00172]供給回路は、送信のためにメッセージを供給するように構成され得る。一実施形態では、供給回路は、フローチャート２１００（図２１）のブロック２１２０を実装するように構成され得る。供給回路は、送信機２１０（図２）、トランシーバ２１４（図２）、プロセッサ２０４（図２）、ＤＳＰ２２０（図２）、アンテナ２１６（図２）、およびメモリ２０６（図２）のうちの１つまたは複数を含むことができる。いくつかの実装形態では、供給するための手段は供給回路を含むことができる。
【０１５３】
[00173]様々な実施形態では、ワイヤレスデバイスはマッピング回路をさらに含むことができる。マッピング回路は、低密度パリティチェック（ＬＤＰＣ）トーンマッピング距離（ＤＴＭ）を使用してメッセージのトーンをマッピングするように構成され得る。様々な実施形態では、ＤＴＭは３または６のうちの１つであり得る。マッピング回路は、ＤＳＰ２２０（図２）、プロセッサ２０４（図２）、メモリ２０６（図２）、インターリービングシステム１０１４（図１０）、インターリーバ１１０８ａ〜１１０８ｃ（図１１）、および変調器１１０２ａ〜１１０２ｃ（図１１）のうちの１つまたは複数を含むことができる。いくつかの実装形態では、マッピングするための手段は生成回路を含むことができる。
【０１５４】
[00174]様々な実施形態では、ワイヤレスデバイスは送信回路をさらに含むことができる。送信回路は、たとえば、移動局またはアクセスポイントの送信機およびアンテナを通して、メッセージを送信するように構成され得る。送信回路は、送信機２１０（図２）、トランシーバ２１４（図２）、プロセッサ２０４（図２）、ＤＳＰ２２０（図２）、アンテナ２１６（図２）、およびメモリ２０６（図２）のうちの１つまたは複数を含むことができる。いくつかの実装形態では、送信するための手段は送信回路を含むことができる。
【０１５５】
[00175]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５６】
[00176]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明するいかなる実装形態も、必ずしも他の実装形態よりも好ましいまたは有利であると解釈されるべきではない。
【０１５７】
[00177]また、別個の実装形態に関して本明細書で説明したいくつかの特徴は、単一の実装形態において組合せで実装され得る。また、逆に、単一の実装形態に関して説明した様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１５８】
[00178]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１５９】
[00179]上記で説明した方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示すどの動作も、その動作を実施することが可能な対応する機能的手段によって実施され得る。
【０１６０】
[00180]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１６１】
[00181]１つまたは複数の態様では、説明した機能はハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備えることができる。さらに、いくつかの態様では、コンピュータ可読媒体は一時的コンピュータ可読媒体（たとえば、信号）を備えることができる。上記の組合せもコンピュータ可読媒体の範囲内に含まれるべきである。
【０１６２】
[00182]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１６３】
[00183]さらに、本明細書で説明した方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実施するための手段の転送を可能にするためにサーバに結合され得る。代替的に、本明細書で説明した様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明した方法および技法をデバイスに与えるための任意の他の好適な技法が利用され得る。
【０１６４】
[00184]上記は本開示の態様を対象とするが、それの基本的範囲から逸脱することなく本開示の他の態様およびさらなる態様が考案され得、それの範囲は以下の特許請求の範囲によって決定される。
【図１】
2017527180.tif 000003
【図２】
2017527180.tif 000004
【図３】
2017527180.tif 000005
【図４】
2017527180.tif 000006
【図５】
2017527180.tif 000007
【図６】
2017527180.tif 000008
【図７】
2017527180.tif 000009
【図８】
2017527180.tif 000010
【図９】
2017527180.tif 000011
【図１０】
2017527180.tif 000012
【図１１】
2017527180.tif 000013
【図１２】
2017527180.tif 000014
【図１３】
2017527180.tif 000015
【図１４】
2017527180.tif 000016
【図１５】
2017527180.tif 000017
【図１６】
2017527180.tif 000018
【図１７】
2017527180.tif 000019
【図１８】
2017527180.tif 000020
【図１９】
2017527180.tif 000021
【図２０】
2017527180.tif 000022
【図２１】
2017527180.tif 000023
【国際調査報告】
2017527180.tif 000024
2017527180.tif 000025
2017527180.tif 000026